(57)【要約】  無線デバイス（１１１）は、無線デバイス（１１１）がどのセルについてセルグローバル識別子（ＣＧＩ）を報告すべきかの指示（１２８）を、測定設定の測定報告設定情報エレメント（１２７）又は測定設定の測定ＩＤ情報エレメント（１２９）において、ネットワークノード（１０１）から、受信するように設定される。指示（１２８）が測定報告設定情報エレメント（１２７）において受信される実施形態において、たとえば、既存の報告設定を更新することとは対照的に、たとえば、無線デバイス（１１１）は、その情報エレメントによって指示された報告設定を無線デバイス（１１１）における報告設定のリストに追加し得る。何にせよ、無線デバイス（１１１）はまた、受信された指示（１２８）によって指示されたセルのＣＧＩを報告するように設定され得る。【選択図】図１Ａ
2021503752.tif 000002
【特許請求の範囲】
【請求項１】
無線デバイス（１１１）によって実行される方法であって、
前記無線デバイス（１１１）がどのセルについてセルグローバル識別子（ＣＧＩ）を報告すべきかの指示（１２８）を、測定設定の測定報告設定情報エレメント（１２７）又は測定設定の測定ＩＤ情報エレメント（１２９）において、ネットワークノード（１０１）から、前記無線デバイス（１１１）によって、受信すること（５０１）と、
前記受信された指示（１２８）によって指示されたセルのＣＧＩを報告すること（５０３）と
を含む、方法。
【請求項２】
前記指示（１２８）が、前記測定報告設定情報エレメント（１２７）において受信される、請求項１に記載の方法。
【請求項３】
前記測定報告設定情報エレメント（１２７）が、報告設定を指示し、前記報告設定が、前記指示（１２８）を含み、前記方法がさらに、前記無線デバイス（１１１）における報告設定のリスト（１３０）に前記報告設定を追加することを含む、請求項２に記載の方法。
【請求項４】
前記測定報告設定情報エレメント（１２７）によって指示される報告設定が、前記無線デバイス（１１１）における測定対象に測定ＩＤを介してリンクされ、前記方法がさらに、前記指示（１２８）の受信に応答して、前記無線デバイス（１１１）における測定報告エントリのリストにおいて前記測定ＩＤの任意の測定報告エントリを保持することを含む、請求項１から３のいずれか一項に記載の方法。
【請求項５】
前記測定報告設定情報エレメント（１２７）によって指示される報告設定が、前記無線デバイス（１１１）における測定対象に測定ＩＤを介してリンクされ、前記方法がさらに、
前記無線デバイス（１１１）における前記測定対象の更新を受信することと、
前記更新の受信に応答して、前記測定ＩＤの測定報告エントリを前記無線デバイス（１１１）における測定報告エントリのリストから取り除くこと及び前記測定ＩＤのタイマーを停止することと
を含む、請求項１から４のいずれか一項に記載の方法。
【請求項６】
前記指示（１２８）が、前記無線デバイス（１１１）がＣＧＩを報告すべきセルの物理セルＩＤ（ＰＣＩ）を指示することによって、前記無線デバイス（１１１）がどのセルにＣＧＩを報告すべきかを指示する、請求項１から５のいずれか一項に記載の方法。
【請求項７】
ネットワークノード（１０１）によって実行される方法であって、
前記無線デバイス（１１１）がどのセルについてＣＧＩを報告すべきかの指示（１２８）を、測定設定の測定報告設定情報エレメント（１２７）又は測定設定の測定ＩＤ情報エレメント（１２９）において、前記ネットワークノード（１０１）によって、前記無線デバイス（１１１）に、送信すること（８０３ｃ）と、
前記送信された指示（１２８）によって指示されたセルのＣＧＩの報告を、前記無線デバイス（１１１）から、受信すること（８０５ｃ）と
を含む、方法。
【請求項８】
前記指示（１２８）が、前記測定報告設定情報エレメント（１２７）において送信される、請求項７に記載の方法。
【請求項９】
前記測定報告設定情報エレメント（１２７）が、前記無線デバイス（１１１）が前記無線デバイス（１１１）における報告設定のリストに追加すべき報告設定を指示し、前記報告設定が、前記指示（１２８）を含む、請求項８に記載の方法。
【請求項１０】
前記指示（１２８）が、前記無線デバイス（１１１）がＣＧＩを報告すべきセルの物理セルＩＤ（ＰＣＩ）を指示することによって、前記無線デバイス（１１１）がどのセルにＣＧＩを報告すべきかを指示する、請求項７から９のいずれか一項に記載の方法。
【請求項１１】
無線デバイス（１１１）であって、
前記無線デバイス（１１１）がどのセルについてセルグローバル識別子（ＣＧＩ）を報告すべきかの指示（１２８）を、測定設定の測定報告設定情報エレメント（１２７）又は測定設定の測定ＩＤ情報エレメント（１２９）において、ネットワークノード（１０１）から、受信することと、
前記受信された指示（１２８）によって指示されたセルのＣＧＩを報告することと
を行うように設定された、無線デバイス（１１１）。
【請求項１２】
請求項２から６のいずれか一項に記載の方法を実行するように設定された、請求項１１に記載の無線デバイス（１１１）。
【請求項１３】
前記無線デバイス（１１１）がどのセルについてＣＧＩを報告すべきかの指示（１２８）を、測定設定の測定報告設定情報エレメント（１２７）又は測定設定の測定ＩＤ情報エレメント（１２９）において、前記無線デバイス（１１１）に、送信することと、
前記送信された指示（１２８）によって指示されたセルのＣＧＩの報告を、前記無線デバイス（１１１）から、受信することと
を行うように設定された、ネットワークノード（１０１）。
【請求項１４】
請求項８から１０のいずれか一項に記載の方法を実行するように設定された、請求項１３に記載のネットワークノード。
【請求項１５】
無線デバイス（１１１）の少なくとも１つのプロセッサによって実行されるとき、請求項１から６のいずれか一項に記載のステップを前記無線デバイス（１１１）に実施させる命令を含む、コンピュータプログラム。
【請求項１６】
ネットワークノード（１０１）の少なくとも１つのプロセッサによって実行されるとき、請求項７から１０のいずれか一項に記載のステップを前記ネットワークノード（１０１）に実施させる命令を含む、コンピュータプログラム。
【請求項１７】
請求項１５又は１６に記載のコンピュータプログラムを含むキャリアであって、電子信号、光信号、無線信号、又はコンピュータ可読記憶媒体のうちの１つであるキャリア。
【請求項１８】
無線デバイス（１１１）であって、
前記無線デバイス（１１１）がどのセルについてセルグローバル識別子（ＣＧＩ）を報告すべきかの指示（１２８）を、測定設定の測定報告設定情報エレメント（１２７）又は測定設定の測定ＩＤ情報エレメント（１２９）において、ネットワークノード（１０１）から、受信することと、
前記受信された指示（１２８）によって指示されたセルのＣＧＩを報告することと
を行うように設定された、処理回路（６１０）
を備えた、無線デバイス（１１１）。
【請求項１９】
前記指示（１２８）が、前記測定報告設定情報エレメント（１２７）において受信される、請求項１８に記載の無線デバイス。
【請求項２０】
前記測定報告設定情報エレメント（１２７）が、報告設定を指示し、前記報告設定が、前記指示（１２８）を含み、前記処理回路がさらに、前記無線デバイス（１１１）における報告設定のリストに前記報告設定を追加するように設定された、請求項１９に記載の無線デバイス。
【請求項２１】
前記測定報告設定情報エレメント（１２７）によって指示される報告設定が、前記無線デバイス（１１１）における測定対象に測定ＩＤを介してリンクされ、前記処理回路がさらに、前記指示（１２８）の受信に応答して、前記無線デバイス（１１１）における測定報告エントリのリストにおいて前記測定ＩＤの任意の測定報告エントリを保持するように設定された、請求項１８から２０のいずれか一項に記載の無線デバイス。
【請求項２２】
前記測定報告設定情報エレメント（１２７）によって指示される報告設定が、前記無線デバイス（１１１）における測定対象に測定ＩＤを介してリンクされ、前記処理回路がさらに、
前記無線デバイス（１１１）における前記測定対象の更新を受信することと、
前記更新の受信に応答して、前記無線デバイス（１１１）における測定報告エントリのリストから前記測定ＩＤの測定報告エントリを取り除き、前記測定ＩＤのタイマーを停止することと
を行うように設定された、請求項１８から２１のいずれか一項に記載の無線デバイス。
【請求項２３】
前記指示（１２８）が、前記無線デバイス（１１１）がＣＧＩを報告すべきセルの物理セルＩＤ（ＰＣＩ）を指示することによって、前記無線デバイス（１１１）がどのセルにＣＧＩを報告すべきかを指示する、請求項１８から２２のいずれか一項に記載の無線デバイス。
【請求項２４】
無線デバイス（１１１）がどのセルについてＣＧＩを報告すべきかの指示（１２８）を、測定設定の測定報告設定情報エレメント（１２７）又は測定設定の測定ＩＤ情報エレメント（１２９）において、前記無線デバイス（１１１）に、送信することと、
前記送信された指示（１２８）によって指示されたセルのＣＧＩの報告を、前記無線デバイス（１１１）から、受信することと
を行うように設定された、処理回路（９１０）
を備えた、ネットワークノード（１０１）。
【請求項２５】
前記指示（１２８）が、前記測定報告設定情報エレメント（１２７）において送信される、請求項２４に記載のネットワークノード。
【請求項２６】
前記測定報告設定情報エレメント（１２７）が、前記無線デバイス（１１１）が前記無線デバイス（１１１）における報告設定のリストに追加すべき報告設定を指示し、前記報告設定が、前記指示（１２８）を含む、請求項２５に記載のネットワークノード。
【請求項２７】
前記指示（１２８）が、前記無線デバイス（１１１）がＣＧＩを報告すべきセルの物理セルＩＤ（ＰＣＩ）を指示することによって、前記無線デバイス（１１１）がどのセルにＣＧＩを報告すべきかを指示する、請求項２４から２６のいずれか一項に記載のネットワークノード。
【発明の詳細な説明】
【技術分野】
【０００１】
本出願は、概して、セルがセルグローバル識別子によって識別される無線通信システムに関し、より詳細には、セルのセルグローバル識別子を報告するように無線デバイスを設定することに関する。
【背景技術】
【０００２】
セルグローバル識別子（ＣＧＩ：ｃｅｌｌ  ｇｌｏｂａｌ  ｉｄｅｎｔｉｆｉｅｒ）は、無線通信システムにおけるセルのグローバル識別子である。セルのグローバルな性質は、システム内の他のすべてのセルの中でＣＧＩがそのセルを一義的に識別するような、ＣＧＩが一意であり得ることを示唆する。これは、物理セル識別子（ＰＣＩ：ｐｈｙｓｉｃａｌ  ｃｅｌｌ  ｉｄｅｎｔｉｆｉｅｒ）などの非グローバル又は非一意のセル識別子と対照をなし得る。実際には、無線デバイスがＰＣＩのみを使用してシステム内のネットワークノードに対するセルを識別するが、ＰＣＩ単独ではネットワークノードに対するセルを一義的に識別するのに十分ではない（たとえば、別のセルと競合するＰＣＩを原因として）、いくつかの状況において、ネットワークノードは、無線デバイスがセルのＣＧＩも報告することを要求し得る。
【０００３】
知られている手法によれば、ネットワークノードは、無線デバイスにおけるいわゆる測定対象を更新することによってセルのＣＧＩを報告するように無線デバイスを設定する。これに関して測定対象は、無線デバイスが測定を実行すべき対象（たとえば、キャリア周波数又はセル）である。したがって、無線デバイスは、この測定対象に無線デバイスが実行する測定を追跡する。測定対象が更新されるとき、無線デバイスは、その測定対象で実行された測定の無線デバイスの記録をフラッシュする。したがって、セルのＣＧＩを報告するように無線に促すために測定対象を更新することは、無線デバイスがその測定対象で実行した測定の記録を無線デバイスにフラッシュさせる。
【発明の概要】
【０００４】
本明細書に記載のいくつかの実施形態は、たとえば、測定対象で実行された測定の無線デバイスの記録を有利に保持するやり方で、セルのセルグローバル識別子（ＣＧＩ）を報告するように無線デバイスを設定する。いくつかの実施形態では、たとえば、無線デバイスは、その測定対象の更新が、単に、セルのＣＧＩを報告するように無線デバイスを設定するだけであるかどうかに基づいて、測定対象で実行された測定の無線デバイスの記録を選択的にフラッシュする。他の実施形態において、ネットワークノードは、無線デバイスが測定対象で実行される測定をフラッシュすべきかどうかを（明示的に）指示する無線デバイスへの制御シグナリングを送信する。さらに他の実施形態は、測定設定の測定対象の代わりに、測定設定の測定報告設定又は測定設定の測定ＩＤを活用することによってセルのＣＧＩを報告するように無線デバイスを設定する。さらに、これらの実施形態は、既存の測定報告設定又は測定ＩＤを更新するのではなく、新しい測定報告設定又は新しい測定ＩＤを追加することによって、それを行うことができる。修正ではない、この追加は、無線デバイスが測定及びタイマーの無線デバイスの記録をフラッシュすることを効果的に防ぎ、さらに、セルのＣＧＩを報告するように無線デバイスを設定することができる。
【０００５】
さらに具体的には、本明細書に記載の実施形態は、無線デバイスによって実行される方法を含む。本方法は、無線デバイスによって、ネットワークノードから、測定設定の測定報告設定情報エレメント又は測定ＩＤ情報エレメントにおいて、無線デバイスがどのセルについてＣＧＩを報告すべきかの指示を受信することを含む。その指示は、たとえば、無線デバイスがＣＧＩを報告すべきセルの物理セルＩＤ（ＰＣＩ）を指示することによって、無線デバイスがどのセルについてＣＧＩを報告すべきかを指示することができる。何にせよ、いくつかの実施形態において、本方法は、受信された指示によって指示されたセルのＣＧＩを報告することをさらに含む。
【０００６】
いくつかの実施形態において、その指示は、測定報告設定情報エレメントにおいて受信される。
【０００７】
１つ又は複数の実施形態において、測定報告設定情報エレメントは、報告設定を指示する。報告設定は、指示を含み得る。この場合、いくつかの実施形態において、本方法はまた、たとえば、無線デバイスにおいて既存の報告設定を更新することとは対照的に、その報告設定を無線デバイスにおける報告設定のリストに追加することを含み得る。
【０００８】
いくつかの実施形態において、測定報告設定情報エレメントによって指示される報告設定は、測定ＩＤを介して無線デバイスにおける測定対象にリンクされる。この場合、いくつかの実施形態において、本方法はまた、その指示の受信に応答して、無線デバイスにおける測定報告エントリのリストにおいて測定ＩＤの任意の測定報告エントリを保持することを含み得る。別法として又は追加で、本方法はさらに、無線デバイスにおいて測定対象の更新を受信することと、その更新に応答して、測定ＩＤの測定報告エントリを無線デバイスにおける測定報告エントリのリストから取り除くことと、測定ＩＤのタイマーを停止することとを含み得る。すなわち、無線デバイスは、この場合に測定対象で実行される測定をフラッシュし得る。
【０００９】
本明細書に記載の実施形態はまた、ネットワークノードによって実行される方法を含む。本方法は、無線デバイスがどのセルについてＣＧＩを報告すべきかの指示を、測定設定の測定報告設定情報エレメント又は測定設定の測定ＩＤ情報エレメントにおいて、ネットワークノードによって、無線デバイスに、送信することを含む。その指示は、たとえば、無線デバイスがＣＧＩを報告すべきセルの物理セルＩＤ（ＰＣＩ）を指示することによって、無線デバイスがどのセルにＣＧＩを報告すべきかを指示し得る。これは、たとえば、無線デバイスがどのセルについてＣＧＩを報告すべきかを判定した後に、実行され得る。何にせよ、いくつかの実施形態において、本方法はさらに、その指示によって指示されたセルのＣＧＩの報告を無線デバイスから受信することを含む。
【００１０】
いくつかの実施形態において、その指示は、測定報告設定情報エレメントにおいて送信される。
【００１１】
１つ又は複数の実施形態において、測定報告設定情報エレメントは、たとえば、無線デバイスにおいて既存の報告設定を更新することとは対照的に、無線デバイスが無線デバイスにおける報告設定のリストに追加すべき報告設定を指示する。これらの実施形態のうちの１つ又は複数において、報告設定は、指示を含み得る。
【００１２】
いくつかの実施形態において、測定報告設定情報エレメントによって指示される報告設定は、無線デバイスにおける測定対象に測定ＩＤを介してリンクされる。
【００１３】
実施形態はまた、対応する装置、コンピュータプログラム、及びキャリアを含む。たとえば、本明細書に記載の実施形態は、無線デバイスを含む。無線デバイスは、無線デバイスがどのセルについてＣＧＩを報告すべきかの指示を、測定設定の測定報告設定情報エレメント又は測定ＩＤ情報エレメントにおいて、ネットワークノードから、受信するように設定される（たとえば、１つ又は複数の処理回路を介して）。その指示は、たとえば、無線デバイスがＣＧＩを報告すべきセルの物理セルＩＤ（ＰＣＩ）を指示することによって、無線デバイスがどのセルにＣＧＩを報告すべきかを指示することができる。何にせよ、いくつかの実施形態において、無線デバイスはまた、受信された指示によって指示されたセルのＣＧＩを報告するように設定される。
【００１４】
実施形態はさらに、ネットワークノードを含む。ネットワークノードは、測定設定の測定報告設定情報エレメント又は測定設定の測定ＩＤ情報エレメントにおいて、無線デバイスがどのセルについてＣＧＩを報告すべきかの指示を、無線デバイスに、送信するように設定される（たとえば、１つ又は複数の処理回路を介して）。その指示は、たとえば、無線デバイスがＣＧＩを報告すべきセルの物理セルＩＤ（ＰＣＩ）を指示することによって、無線デバイスがどのセルについてＣＧＩを報告すべきかを示し得る。これは、たとえば、無線デバイスがどのセルにＣＧＩを報告すべきかを判定した後に実行され得る。何にせよ、いくつかの実施形態において、ネットワークノードはまた、その指示によって指示されたセルのＣＧＩの報告を無線デバイスから受信するように設定され得る。
【図面の簡単な説明】
【００１５】
【図１Ａ】いくつかの実施形態によるネットワークノード及び無線デバイスを含む無線通信システムのブロック図である。
【図１Ｂ】他の実施形態によるネットワークノード及び無線デバイスを含む無線通信システムのブロック図である。
【図１Ｃ】さらに他の実施形態によるネットワークノード及び無線デバイスを含む無線通信システムのブロック図である。
【図２Ａ】いくつかの実施形態による無線デバイス測定を設定するための無線ネットワークノードのシグナリングのコールフロー図である。
【図２Ｂ】いくつかの実施形態によるＲｅｐｏｒｔＣｏｎｆｉｇＥＵＴＲＡ情報エレメントである。
【図２Ｃ】他の実施形態によるＲｅｐｏｒｔＣｏｎｆｉｇＥＵＴＲＡ情報エレメントである。
【図２Ｄ】いくつかの実施形態によるＭｅａｓＩｄ情報エレメントである。
【図３】いくつかの実施形態による無線デバイスによって実行される方法の論理流れ図である。
【図４】他の実施形態による無線デバイスによって実行される方法の論理流れ図である。
【図５】さらに他の実施形態による無線デバイスによって実行される方法の論理流れ図である。
【図６】いくつかの実施形態による無線デバイスのブロック図である。
【図７】他の実施形態による無線デバイスのブロック図である。
【図８Ａ】いくつかの実施形態によるネットワークノードによって実行される方法の論理流れ図である。
【図８Ｂ】他の実施形態によるネットワークノードによって実行される方法の論理流れ図である。
【図８Ｃ】さらに他の実施形態によるネットワークノードによって実行される方法の論理流れ図である。
【図９】いくつかの実施形態によるネットワークノードのブロック図である。
【図１０】他の実施形態によるネットワークノードのブロック図である。
【図１１】いくつかの実施形態による無線通信ネットワークのブロック図である。
【図１２】いくつかの実施形態によるユーザ機器のブロック図である。
【図１３】いくつかの実施形態による仮想化環境のブロック図である。
【図１４】いくつかの実施形態によるホストコンピュータを有する通信ネットワークのブロック図である。
【図１５】いくつかの実施形態によるホストコンピュータのブロック図である。
【図１６】１つの実施形態による通信システムにおいて実施される方法を示すフローチャートである。
【図１７】１つの実施形態による通信システムにおいて実施される方法を示すフローチャートである。
【図１８】１つの実施形態による通信システムにおいて実施される方法を示すフローチャートである。
【図１９】１つの実施形態による通信システムにおいて実施される方法を示すフローチャートである。
【発明を実施するための形態】
【００１６】
図１Ａは、本明細書に記載されるような様々な態様によるシステム１００（たとえば、ロングタームエボリューション（ＬＴＥ：Ｌｏｎｇ  Ｔｅｒｍ  Ｅｖｏｌｕｔｉｏｎ）システム又は新無線（ＮＲ：Ｎｅｗ  Ｒａｄｉｏ）システム）の１つの実施形態を示す。図１Ａにおいて、システム１００は、ネットワークノード１０１（たとえば、基地局、ｇＮＢ、ｅＮＢなど）及び無線デバイス１１１（たとえば、ＵＥ）を含み得る。ネットワークノード１０１は、セル１０３にサーブし得る、提供し得る、又は他の方法でセル１０３と関連し得る。ある意味では、セル１０３は、たとえば、ネットワークノード１０１によって送信及び／又は受信される１つ又は複数の特定のキャリアによってカバーされるものとしての、ネットワークノード１０１の地理的カバレッジエリアを指し得る。別の意味では、セル１０３は、その具体的な使用法に応じて、キャリア自体を指し得る、又はキャリア自体と関連し得る。
【００１７】
１つの例において、セル１０３は、１つ又は複数のセルＩＤによって識別される、又は他の方法で１つ又は複数のセルＩＤと関連する。１つ又は複数のセルＩＤは、たとえば、グローバルに一意になり得る、セルグローバルＩＤ（ＣＧＩ）を含み得る。１つ又は複数のセルＩＤは、グローバルに非一意になり得る、物理セルＩＤ（ＰＣＩ）を別法として又は追加で含み得る。ＣＧＩは、たとえば、ＣＧＩのグローバルに一意の性質に基づいて、接続された無線デバイスを地理的に位置付けるための手段を提供し得る。
【００１８】
図示されていないが、システム１００は、同じ又は異なるネットワークノードによってサーブされ得る１つ又は複数の他のセルを含み得る。これらの１つ又は複数の他のセルのそれぞれは、同様に、１つ又は複数のセルＩＤ、たとえばＣＧＩ及びＰＣＩ、とそれぞれ関連し得る。
【００１９】
いくつかの実施形態において、ネットワークノード１０１は、ある特定のセル、たとえば、セル１０３又はいくつかの他のセル、のＣＧＩを報告するように無線デバイス１１１を設定する。ネットワークノード１０１は、たとえば、無線デバイス１１１が、ある特定のＰＣＩで識別されたセルで実行されてきたものとして、ネットワークノード１０１に測定を報告した後に、その設定を行うが、ＰＣＩは、たとえば、複数のセルが同じＰＣＩによって識別されるＰＣＩ競合が原因で、どのセルで測定が実行されたかをネットワークノード１０１に一義的に識別しない。この場合、次いで、ネットワークノード１０１は、測定が実行されたセルのＣＧＩを報告するように無線デバイス１１１に要求し得る。もう１つの例として、ネットワークノード１０１は、ＣＳＧセルであるセルのＣＧＩを報告するように無線デバイス１１１を設定し得る。
【００２０】
セルのＣＧＩを報告するように無線デバイス１１１を設定する具体的な理由にかかわらず、いくつかの実施形態において、ネットワークノード１０１は、無線デバイス１１１において測定対象１１５を更新することによって、その設定を行う。測定対象１１５は、たとえば、無線デバイス１１１が測定を実行すべき対象（たとえば、キャリア周波数）のリストに、測定設定の一部として、含まれ得る。更新された測定対象１１５で実行された測定の無線デバイス１１１の記録を無条件にフラッシュ又はリセットする代わりに、いくつかの実施形態による無線デバイス１１１は、その更新が単にセルのＣＧＩを報告するように無線デバイス１１１を設定するだけであるかどうかに基づいて、選択的にフラッシュ又はリセットする。たとえば、その更新が単にセルのＣＧＩを報告するように無線デバイス１１１を設定するだけである場合、いくつかの実施形態における無線デバイス１１１は、たとえば、その記録を保持するために、測定対象１１５で実行された測定の無線デバイス１１１の記録を保持する。無線デバイス１１１は、測定対象１１５について適用可能な任意のタイマーを同様に保持し得る。
【００２１】
さらに具体的には、１つの実施形態において、ネットワークノード１０１は、無線デバイス１１１における測定対象１１５の更新１２５を判定する。ネットワークノード１０１は、次いで、更新１２５を無線デバイス１１１に送信する。さらに、無線デバイス１１１は、無線デバイス１１１における測定対象１１５の更新１２５を受信し、次いで、更新１２５が単にセルのＣＧＩを報告するように無線デバイス１１１を設定するだけであるかどうかを判定する。次に、無線デバイス１１１は、更新１２５が単にセルのＣＧＩを報告するようにデバイスを設定するだけであるかどうかに基づいて、その対象１１５で実行された測定１１７を保持又はリセットする。たとえば、無線デバイス１１１は、更新１２５が単にセルのＣＧＩを報告するように無線デバイス１１１を設定するだけである場合には、測定１１７を保持し得るが、更新１２５がセルのＣＧＩを報告するように無線デバイス１１１を設定するだけではない場合には、測定１１７をリセットし得る。
【００２２】
これらの実施形態では、次いで、測定対象更新１２５は、測定対象１１５で実行される測定１１７を無線デバイス１１１が保持すべきか又はリセットすべきかをそれ自体では明示的に示さないことがある。代わりに、無線デバイス１１１は、測定１１７を保持するか又はリセットするかを更新１２５の性質から知的に推定する。
【００２３】
他の実施形態では、対照的に、ネットワークノード１０１は、無線デバイス１１１が測定１１７を保持すべきか又はリセットすべきかを指示する無線デバイス１１１への制御シグナリングを送信する。この場合、無線デバイス１１１は、更新１２５の性質についてのデバイス自体の評価に基づくのではなく、制御シグナリングが無線デバイス１１１にそれを行うように命じるかどうかに厳密に基づいて単純に測定１１７を保持又はリセットすることができる。この場合、ネットワークノード１０１は、たとえば、何らかの理由で、測定１１７がリセットされるかどうか及び／又はいつリセットされるかのより多くの制御を保持し得る。図１Ｂは、これらの実施形態の１つの例を示す。
【００２４】
図１Ｂに示すように、ネットワークノード１０１は、測定対象１１５で無線デバイス１１１によって実行される測定１１７を保持するか又はリセットするかを判定する。ネットワークノード１０１は、次いで、測定対象１１５で無線デバイス１１１によって実行された測定１１７を保持するか又はリセットするかの指示１２６を無線デバイス１１１に送信する。指示１２６は、たとえば、図１Ｂに示すように測定対象更新１２５に含まれ得る、及び／又は、そのセルの物理セルＩＤ（ＰＣＩ）を指示することによって、無線デバイス１１１がどのセルにＣＧＩを報告すべきかを指示する。何にせよ、無線デバイス１１１は、測定対象１１５で無線デバイス１１１によって実行された測定１１７を保持するか又はリセットするかの指示１２６を受信する。さらに、無線デバイス１１１は、指示１２６に基づいて、その対象１１５で実行された測定１１７を保持するか又はリセットするかを判定する。
【００２５】
さらに他の実施形態において、ネットワークノード１０１は、測定対象１１５以外の測定設定の異なる部分を活用することによってセルのＣＧＩを報告するように無線デバイス１１１を設定する。たとえば、ネットワークノード１０１は、測定設定の測定対象１１５の代わりに、測定設定の測定報告設定又は測定設定の測定ＩＤを活用することができる。さらに、測定報告設定又は測定ＩＤを更新するのではなく、いくつかの実施形態において、ネットワークノード１０１は、たとえば、測定対象１１５と関連して、新しい測定報告設定又は新しい測定ＩＤを追加することができる。ネットワークノード１０１が、同じ周波数又はセルに関連して新しい測定対象を追加することを禁じられる場合であっても、ネットワークノード１０１は、新しい測定報告設定又は新しい測定ＩＤを追加することができる。このようにして、既存の測定報告設定又は既存の測定ＩＤを更新するのではなく、新しい測定報告設定又は新しい測定ＩＤを追加することによって、ネットワークノード１０１は、無線デバイス１１１が測定１１７及びタイマーの無線デバイス１１１の記録をフラッシュ又はリセットするのを効果的に防ぎ、さらに、セルのＣＧＩを報告するように無線デバイス１１１を設定することができる。図１Ｃは、これらの実施形態の１つの例を示す。
【００２６】
図１Ｃに示すように、ネットワークノード１０１は、無線デバイス１１１がどのセルについてＣＧＩを報告すべきかの指示１２８を、測定設定の測定報告設定情報エレメント（ＩＥ）１２７又は測定ＩＤ  ＩＥ１２９において、無線デバイス１１１に送信する。指示１２８は、たとえば、無線デバイス１１１がＣＧＩを報告すべきセルのＰＣＩを指示することができる。何にせよ、無線デバイス１１１は、それに応じて、測定設定の測定報告設定ＩＥ１２７又は測定ＩＤ情報エレメント１２９において指示１２８を受信する。
【００２７】
指示１２８が測定報告設定ＩＥ１２７に含まれる、いくつかの実施形態において、指示１２８は、測定報告設定ＩＥ１２７によって指示される報告設定に含まれ得る。実際には、報告設定は、無線デバイス１１１が追加すべき報告設定のリスト（測定報告設定ＩＥ１２７内）に含まれ得る。この及び他の場合に、次いで、無線デバイス１１１は、たとえば、リスト１３０内の報告設定のうちの既存の１つを更新することとは対照的に、無線デバイス１１１において報告設定のリスト１３０に（新しい）報告設定を追加するように設定され得る。既存の報告設定の更新ではない、この報告設定の追加は、測定対象１１５で実行された測定１１７を無線デバイス１１１がフラッシュ又はリセットすることを防ぐことができる。
【００２８】
これに関連して、測定報告設定ＩＥ１２７によって指示される報告設定は、無線デバイス１１１における測定対象１１５に測定ＩＤ１３２を介してリンクされ得る。これにも関わらず、測定報告設定ＩＥ１２７における指示１２８の受信にさらに応答してでも、無線デバイス１１１は、それでもなお、無線デバイス１１１における測定報告エントリのリスト内の測定ＩＤ１３２の任意の測定報告エントリを保持する。すなわち、無線デバイス１１１は、これらの測定報告エントリを表す図１Ｃの測定１１７を保持する。さらに、無線デバイス１１１は、そうでない場合には、測定対象１１５をそれに更新させたそれらの測定報告エントリをフラッシュした場合であっても、無線デバイス１１１は、測定１１７を保持することができる。すなわち、無線デバイス１１１は、測定対象１１５への更新を受信することに応答して測定ＩＤ１３２の測定報告エントリを無線デバイス１１１における測定報告エントリのリストから取り除く（及び測定ＩＤ１３２のタイマーを停止する）ようにさらに設定され得る。
【００２９】
図１Ａ、１Ｂ、又は１Ｃのネットワークノード１０１は、１つ又は複数の通信システム、たとえば、ＬＴＥ、ＵＭＴＳ、ＧＳＭ、ＮＢ−ＩｏＴ、５Ｇ新無線（ＮＲ）など、又はその組合せ、をサポートするように設定され得ることに留意されたい。さらに、ネットワークノード１０１は、基地局、アクセスポイントなどでもよい。また、ネットワークノード１０１は、無線デバイス１１１にサーブし得る。無線デバイス１１１は、１つ又は複数の通信システム、たとえば、ＬＴＥ、ＵＭＴＳ、ＧＳＭ、ＮＢ−ＩｏＴ、５Ｇ  ＮＲなど、又はその組合せ、をサポートするように設定され得る。
【００３０】
やはり、いくつかの実施形態が、ＬＴＥ又はＮＲシステムとの関連で、ここで例示されることになる。しかしながら、これらの実施形態は、他のタイプのシステムにも適用可能なものとして拡張され得る。
【００３１】
無線デバイス１１１は、ユーザ機器（ＵＥ：ｕｓｅｒ  ｅｑｕｉｐｍｅｎｔ）でもよい。ＵＥは、測定を実行して、ＵＥのサービングセル及び隣接セルの信号レベル及び品質をモニタ及び報告する。これらの測定は、無線ネットワークがＵＥのための適切なサービングセルを選択するのを助ける。カバレッジ理由、トラフィック負荷レベル又は特定のサービスのサポートなど、現在のセルから別のセルにＵＥを再配置する異なる理由が存在する。
【００３２】
ＵＥ測定は、無線ネットワークによって設定される。いくつかのパラメータが、測定及び報告の条件の指定に関わる。ロングタームエボリューション（ＬＴＥ：Ｌｏｎｇ  Ｔｅｒｍ  Ｅｖｏｌｕｔｉｏｎ）では、たとえば、エボルブドユニバーサルモバイルテレコミュニケーションシステム地上無線アクセスネットワーク（ＥＵＴＲＡＮ）によってＵＥに提供されたＵＥ測定設定は、３ＧＰＰ  ＴＳ  ３６．３３１  ＥＵＴＲＡ無線リソース制御（ＲＲＣ：ｒａｄｉｏ  ｒｅｓｏｕｒｃｅ  ｃｏｎｔｒｏｌ）プロトコル仕様において指定されている。対応する仕様、３ＧＰＰ  ＴＳ  ３８．３３１  ＮＲ  ＲＲＣプロトコル仕様、が、適用可能であればＥＵＴＲＡＮバージョンに部分的に類似することが予期される新無線（ＮＲ）のために現在準備されている。
【００３３】
ＮＲにおける測定設定フレームワークは、３ＧＰＰ  ＴＳ  ３８．３３１に記載された、ＬＴＥからのフレームワークに基づくことになる。ＮＲにおいて、ネットワークは、測定設定に従ってセルレベル及びビームレベル測定を実行する及びセルレベル及びビームレベル測定を報告するように、ＲＲＣ＿ＣＯＮＮＥＣＴＥＤ  ＵＥを設定することができる。測定設定は、専用シグナリングを用いて提供される。
【００３４】
ネットワークは、次のタイプの測定を実行するようにＵＥを設定することができる：（ｉ）周波数内測定：サービングセルのダウンリンクキャリア周波数における測定と、（ｉｉ）周波数間測定：サービングセルのダウンリンクキャリア周波数のうちのいずれとも異なる周波数における測定と、（ｉｉｉ）Ｅ−ＵＴＲＡ周波数のＲＡＴ間測定。測定設定は、次のパラメータを含む：（１）測定対象と、（２）報告設定と、（３）測定ＩＤと、（４）数量設定と、（５）測定ギャップ。
【００３５】
測定対象は、ＵＥが測定を実行することになる対象のリストを指す。周波数内及び周波数間測定について、測定対象は、ＮＲダウンリンクキャリア周波数に関連する。ＲＡＴ間Ｅ−ＵＴＲＡ測定について、測定対象は、単一Ｅ−ＵＴＲＡダウンリンクキャリア周波数である。
【００３６】
報告設定は、測定対象ごとに１つの又は複数の報告設定が存在し得る、報告設定のリストを指す。各報告設定は、以下から成る：（ｉ）報告基準：トリガされるイベント又は周期的のいずれかでもよい測定報告を送るようにＵＥをトリガする基準。基準はまた、トリガ数量（参照信号受信電力（ＲＳＲＰ：ｒｅｆｅｒｅｎｃｅ  ｓｉｇｎａｌ  ｒｅｃｅｉｖｅｄ  ｐｏｗｅｒ）、参照信号受信品質（ＲＳＲＱ：ｒｅｆｅｒｅｎｃｅ  ｓｉｇｎａｌ  ｒｅｃｅｉｖｅｄ  ｑｕａｌｉｔｙ）、又は信号対干渉電力と雑音比（ＳＩＮＲ：ｓｉｇｎａｌ−ｔｏ−ｉｎｔｅｒｆｅｒｅｎｃｅ−ｐｌｕｓ−ｎｏｉｓｅ  ｒａｔｉｏ））と、（ｉｉ）参照信号（ＲＳ：ｒｅｆｅｒｅｎｃｅ  ｓｉｇｎａｌ）タイプ：セルレベル及びビームレベル測定のためにＵＥによって考慮されることになるＲＳ（たとえば、セル品質が２つのタイプのＲＳ（ＮＲ−ＳＳ（基本的には、ＮＲ１次同期信号（ＮＲ−ＰＳＳ：ＮＲ  ｐｒｉｍａｒｙ  ｓｙｎｃｈｒｏｎｉｚａｔｉｏｎ  ｓｉｇｎａｌ）及び／又はＮＲ２次同期信号（ＮＲ−ＳＳＳ：ＮＲ  ｓｅｃｏｎｄａｒｙ  ｓｙｎｃｈｒｏｎｉｚａｔｉｏｎ  ｓｉｇｎａｌ））及びＣＳＩ−ＲＳに基づいて計算され得る、ＮＲにおける新しい態様である、ＮＲ同期信号（ＮＲ−ＳＳ：ＮＲ  ｓｙｎｃｈｒｏｎｉｚａｔｉｏｎ  ｓｉｇｎａｌ）又はチャネル状態情報参照信号（ＣＳＩ−ＲＳ：ｃｈａｎｎｅｌ  ｓｔａｔｅ  ｉｎｆｏｒｍａｔｉｏｎ  ｒｅｆｅｒｅｎｃｅ  ｓｉｇｎａｌ））と、（ｉｉｉ）報告フォーマット：ＵＥが測定報告（ＲＳＲＰ及び／又はＲＳＲＱ及び／又はＳＩＮＲ）及び関連情報（たとえば、報告するセル及び／又はビームの数）に含むセルレベル及びビームレベルの数量。
【００３７】
測定ＩＤは、各測定ＩＤが１つの測定対象を１つの報告設定とリンクさせる測定ＩＤのリストを指す。複数の測定ＩＤを設定することによって、複数の測定対象を同じ報告設定にリンクさせること、並びに複数の報告設定を同じ測定対象にリンクさせることが可能である。測定ＩＤはまた、ネットワークへの参照の機能を果たし、報告をトリガした測定報告に含まれる。
【００３８】
数量設定に関して、１つの数量設定が、無線アクセス技術（ＲＡＴ：ｒａｄｉｏ  ａｃｃｅｓｓ  ｔｅｃｈｎｏｌｏｇｙ）タイプごとに設定される。数量設定は、その測定タイプのすべてのイベント評価及び関連報告のために使用される測定数量及び関連フィルタリングを規定する。
【００３９】
測定ギャップは、ＵＥが測定を実行するために使用することができる、すなわち、（アップリンク、ダウンリンク）送信がスケジュールされていない、期間を指す。
【００４０】
Ｅ−ＵＴＲＡＮは、いくつかの状況の下で、たとえば、基本的な物理セルＩＤ（ＰＣＩ）混乱状況が存在するときに、拡張型セルグローバル識別子（ＥＣＧＩ：ｅｘｔｅｎｄｅｄ  ｃｅｌｌ  ｇｌｏｂａｌ  ｉｄｅｎｔｉｆｉｅｒ）／ＮＲセルグローバル識別子（ＮＣＧＩ：ＮＲ  ｃｅｌｌ  ｇｌｏｂａｌ  ｉｄｅｎｔｉｆｉｅｒ）を報告するようにＵＥを設定することができる。現在の仕様ＴＳ３６．３３１、すなわちＬＴＥ、によれば、Ｅ−ＵＴＲＡＮが、ＵＥがＥＣＧＩ／ＮＣＧＩを報告することを望むとき、Ｅ−ＵＴＲＡＮは、ＥＣＧＩ／ＮＣＧＩを報告することを目的として周期的測定を設定する。Ｅ−ＵＴＲＡＮはまた、ＩＥ  ＭｅａｓＣｏｎｆｉｇｕｒｅの測定対象において、ＵＥがＥＣＧＩ／ＮＣＧＩを報告すべき、物理セルＩＤ（ＰＣＩ）を設定する。すなわち、どのセルについてＣＧＩを報告するかの設定、ｃｅｌｌＦｏｒＷｈｉｃｈＴｏＲｅｐｏｒｔＣＧＩ、が、ＬＴＥ．３ＧＰＰ  ＴＳ  ３６．３３１Ｖ１４．４．０では測定対象において与えられる。これは、ＣＧＩ測定が必要とされる度に測定対象が修正される（新しいｃｅｌｌＦｏｒＷｈｉｃｈＴｏＲｅｐｏｒｔＣＧＩを用いて）ことを意味する。修正は、ｍｅａｓＯｂｊｅｃｔＴｏＡｄｄＭｏｄＬｉｓｔを使用してＵＥに指示される。
【００４１】
ｍｅａｓＯｂｊｅｃｔＴｏＡｄｄＭｏｄＬｉｓｔを受信したとき、ＵＥは、以下を行うことになる、
１＞受信されたｍｅａｓＯｂｊｅｃｔＴｏＡｄｄＭｏｄＬｉｓｔに含まれた各ｍｅａｓＯｂｊｅｃｔＩｄについて：
２＞マッチするｍｅａｓＯｂｊｅｃｔＩｄを有するエントリが、ＶａｒＭｅａｓＣｏｎｆｉｇ内のｍｅａｓＯｂｊｅｃｔＬｉｓｔ内に存在する場合、このエントリについて、
…
３＞もしあれば、ＶａｒＭｅａｓＣｏｎｆｉｇ内のｍｅａｓＩｄＬｉｓｔ内のこのｍｅａｓＯｂｊｅｃｔＩｄに関連する各ｍｅａｓＩｄについて：
４＞もし含まれていれば、ＶａｒＭｅａｓＲｅｐｏｒｔＬｉｓｔからこのｍｅａｓＩｄの測定報告エントリを取り除き、
４＞実行中であればどれでも、周期的報告タイマー又はタイマーＴ３２１を停止し、このｍｅａｓＩｄの関連情報（たとえばｔｉｍｅＴｏＴｒｉｇｇｅｒ）をリセットする、
これは、ＣＧＩ測定が必要とされる度に、ＵＥは、ＵＥが測定対象のためにすでに送った前の報告、たとえばＣＧＩ測定をトリガしたモビリティ測定報告、に関して忘れることになることを意味する。すなわち、ＵＥは、その対象で行われたすべての測定をリセットすることによって、測定対象の変更を処理することになる。このこと、並びに周期的報告タイマーの停止及びトリガする時間のリセットは、不必要な測定報告がネットワークに送られることにつながることになる。
【００４２】
１つの他の欠点は、これがＵＥによって行われる別個の測定であるということであり、したがって、それはイベントに戻づく測定にひも付けされていない。したがって、無線基地局（ＲＢＳ：ｒａｄｉｏ  ｂａｓｅ  ｓｔａｔｉｏｎ）は、所与のＰＣＩを有する目標セルをＵＥが検出するために目的報告ＥＣＧＩ／ＮＣＧＩでイベントベースの測定及び周期的測定を別個に設定し、その後、ＥＣＧＩ／ＮＣＧＩを報告するようにＵＥをトリガする必要があり、ハンドオーバ（ＨＯ）の不要な遅延を引き起こす。
【００４３】
３ＧＰＰでは、これらの測定は、ＵＥについて２秒だけ有効であり、次いで自動的に取り除かれるので、１つの他のさらに悪い代替は、ＲＢＳは、ＰＣＩのための目的報告ＥＣＧＩ／ＮＣＧＩを有する別個の測定を常に進行中にさせる必要があり、ＵＥにおいて時々（たとえば、ＥＵＴＲＡＮについては１秒及びＧＳＭ  ＥＤＧＥ無線アクセスネットワーク（ＧＥＲＡＮ：ＧＳＭ  ＥＤＧＥ  ｒａｄｉｏ  ａｃｃｅｓｓ  ｎｅｔｗｏｒｋ）及びＵＴＲＡＮについては８秒）再設定されることを意味する、ということである。これは、いくつかの状況において、問題がある。第一に、ＰＣＩが、ＲＢＳがＰＣＩ報告に基づいて目標セルを区別するのに十分ではなく、したがって、目標セルを区別するためにＥＣＧＩ／ＮＣＧＩ読み出しを必要とし得る、基本的なＰＣＩ混乱状況が存在する場合に、問題がある。第二に、目標セルが、ＵＥがＥＣＧＩ／ＮＣＧＩ及び関連情報を報告することが必須である、クローズドサブスクライバグループ（ＣＳＧ：ｃｌｏｓｅｄ  ｓｕｂｓｃｒｉｂｅｒ  ｇｒｏｕｐ）セルである場合、問題がある。第三に、現在のビヘイビアは、すでに測定されたセルをＵＥに忘れさせる、測定対象での変更を理由としてすべての進行中の測定に悪影響を及ぼす。
【００４４】
いくつかの実施形態は、ＥＣＧＩ／ＮＣＧＩ測定処理を改善することを可能にする。異なるオプションが、異なる柔軟性を有して提案される。これらは、ＥＣＧＩ／ＮＣＧＩを報告すべきセルを測定対象から報告設定に、又はＭｅａｓＩＤに移動する、或いは、そのようなセルを測定対象上に保持するが、これに関連するＵＥビヘイビアを変えることを含む。
【００４５】
いくつかの実施形態は、次の利点のうちの１つ又は複数を含む：（ｉ）測定及びより不必要でないＵＥ測定報告の設定／設定解除による、より少ないＲＲＣシグナリングと、（ｉｉ）ＥＣＧＩ／ＮＣＧＩ測定を設定するためのより直観的なやり方と、（ｉｉｉ）特に、基本的なＰＣＩ混乱が存在する又は目標セルがＣＳＧセルである場合の、より高速のＨＯと、（ｉｖ）ともに又は互いの直後に、たとえば、ＵＥが先ずＰＣＩを検出し、その直後にＥＣＧＩ／ＮＣＧＩを読み取り、１つの報告で又は２つの報告で情報を送った直後に、設定された、ＥＣＧＩ／ＮＣＧＩ測定と並行して進行中になり得る、より効率的な測定。
【００４６】
図２Ａは、無線ネットワーク（たとえば、ｅＮＢ又はｇＮＢ）がＲＲＣＣｏｎｎｅｃｔｉｏｎＲｅｃｏｎｆｉｇｕｒａｔｉｏｎメッセージを使用して専用シグナリングを介してＵＥ測定を設定するときの関連するシグナリングを示す。図示するように、ｅＮＢは、必要とされる測定設定を判定する（ステップ２１０）。それに基づいて、ｅＮＢは、判定された測定設定を指示するＵＥへのＩＥ  ＭｅａｓＣｏｎｆｉｇとともにＲＲＣＣｏｎｎｅｃｔｉｏｎＲｅｃｏｎｆｉｇｕｒａｔｉｏｎメッセージを送る（ステップ２２０）。ＵＥは、ＲＲＣＣｏｎｎｅｃｔｉｏｎＲｅｃｏｎｆｉｇｕｒａｔｉｏｎＣｏｍｐｌｅｔｅメッセージで応答し（ステップ２３０）、指示された測定設定に基づいて測定を開始する（ステップ２４０）。ＵＥは、次いで、実行された測定を報告するｅＮＢへの測定報告を送る（ステップ２５０）。ＲＲＣＣｏｎｎｅｃｔｉｏｎＲｅｓｕｍｅメッセージ（図示せず）を介して測定を設定することもまた可能である。
【００４７】
ＵＥは、周波数内、周波数間及び／又はＲＡＴ間測定を実行するように要求され得る。これらは、ＰＣＩ測定及びＥＣＧＩ／ＮＣＧＩ測定の両方を含み得る。ＵＥの能力に応じて、ＵＥは、これらの測定を実行するために、測定ギャップ、ＤＲＸ又は自律ギャップを必要とし得る。
【００４８】
いくつかの実施形態は、ＴＳ３６．３３１に記載のようなＬＴＥ仕様と比較して、ＥＣＧＩ／ＮＣＧＩ測定を処理／設定する新しいやり方を含む。
【００４９】
図１Ａに示す実施形態の１つの特定の例では、測定対象が、ＵＥがＣＧＩを報告すべきセルを示すように、ｃｅｌｌＦｏｒＷｈｉｃｈＴｏＲｅｐｏｒｔＣＧＩは、ｍｅａｓｕｒｅｍｅｎｔＯｂｊｅｃｔ内に残る。しかしながら、ｍｅａｓｕｒｅｍｅｎｔＯｂｊｅｃｔにおける更新のみが、ｃｅｌｌＦｏｒＷｈｉｃｈＴｏＲｅｐｏｒｔＣＧＩにある場合、すなわち、測定対象における更新のみが、どのセルについてＣＧＩを報告するかに関連する場合、ｍｅａｓＯｂｊｅｃｔＴｏＡｄｄＭｏｄＬｉｓｔを受信したときのＵＥビヘイビアは、ＵＥが測定報告エントリ及びタイマーをフラッシュしないというようなものである。
【００５０】
図１Ｂに示す実施形態のもう１つの特定の例において、前記は、ＵＥが前の測定をフラッシュする必要がないように、ｍｅａｓｕｒｅｍｅｎｔＯｂｊｅｃｔに付加的フラグ、たとえばｋｅｅｐＲｅｐｏｒｔｉｎｇＥｎｔｒｙＡｎｄＴｉｍｅｒｓ、を追加することによって達成される。すなわち、このフラグは、ＵＥが前の測定を保持すべきかどうかに関する明示的インジケータ又はコマンドとして機能する。
【００５１】
図１Ｂに示す実施形態のもう１つの代替例では、フラグは、反対のやり方で規定される。たとえば、「ｒｅｓｅｔＲｅｐｏｒｔｉｎｇＥｎｔｒｙＡｎｄＴｉｍｅｒｓ」が、ＵＥは前の測定をフラッシュすべきであるというフラグを立てるために使用される。このフラグは、同様に、ＵＥが前の測定をフラッシュすべきかどうかに関する明示的インジケータ又はコマンドとして機能する。
【００５２】
測定報告設定ＩＥ１２７においてＣＧＩを報告すべきセルのインジケータ１２８を有する図１Ｃに示す実施形態の特定の例をここで考察する。この例は、目的ｒｅｐｏｒｔＣＧＩを有する測定報告設定におけるｃｅｌｌＦｏｒＷｈｉｃｈＴｏＲｅｐｏｒｔＣＧＩの設定を含む。これは、それぞれの新しいＥＣＧＩ／ＮＣＧＩ報告要求の測定報告エントリ及びタイマーのフラッシュを回避することになろう。図２Ｂは、ＲｅｐｏｒｔＣｏｎｆｉｇＥＵＴＲＡ  ＩＥに含まれるｃｅｌｌＦｏｒＷｈｉｃｈＴｏＲｅｐｏｒｔＣＧＩを有する例示的ＡＳＮ．１コード実現を示す。
【００５３】
測定報告設定ＩＥ１２７においてＣＧＩを報告すべきセルのインジケータ１２８を有する図１Ｃに示す実施形態のもう１つの特定の例において、ｃｅｌｌＦｏｒＷｈｉｃｈＴｏＲｅｐｏｒｔＣＧＩの設定は、異なるイベントＡ３〜Ａ６（及び未来の任意の可能な新しいイベント）と現在の及び未来の周期的測定とを含む、任意の測定報告設定に含まれる。これはまた、それぞれの新しいＥＣＧＩ／ＮＣＧＩ報告要求の測定報告エントリ及びタイマーのフラッシュを回避することになろう。図２Ｄは、この例の例示的ＡＳＮ．１コード実現を示す。
【００５４】
測定ＩＤ  ＩＥにおいてＣＧＩを報告すべきセルのインジケータ１２８を有する図１Ｃに示す実施形態の特定の例において、ｃｅｌｌＦｏｒＷｈｉｃｈＴｏＲｅｐｏｒｔＣＧＩは、ＭｅａｓＩｄ情報の一部として追加され得る。この実施形態での利点は、この実施形態が、測定対象又は報告設定を更新する必要なく、進行中の測定にＥＣＧＩ／ＮＣＧＩ測定を追加する実現性を可能にするということである。図２Ｃは、この例の例示的ＡＳＮ．１コード実現を示す。
【００５５】
いくつかの実施形態は、ＧＵＴＲＡＮ（ＮＲ）仕様及びＥＵＴＲＡＮ（ＬＴＥ）仕様の両方について有効である。いくつかの実施形態は、数あるものの中でも特に、測定時間を改善する及びモビリティ性能を強化するためのＥＣＧＩ／ＮＣＧＩ測定の処理の変更について説明する。
【００５６】
図３は、本明細書に記載の様々な実施形態によるＣＧＩに関連する測定を処理するための無線デバイス１１１によって実行される方法３００の１つの実施形態を示す。方法３００は、無線デバイス１１１における測定対象１１５への更新１２５をネットワークノード１０１から無線デバイス１１１によって受信すること（ブロック３０１）を含む。本方法はまた、更新１２５が単にセルのＣＧＩを報告するようにデバイス１１１を設定するだけであるかどうかに基づいてその対象１１５で実行された測定１１７を保持又はリセットすること（ブロック３０５）を含む。たとえば、いくつかの実施形態において、測定１１７を保持することは、更新１２５が単にセルのＣＧＩを報告するように無線デバイス１１１を設定するだけであるという判定に応答して、実行される。そして、測定１１７をリセットすることは、更新１２５が単にセルのＣＧＩを報告するように無線デバイス１１１を設定するだけではないという判定に応答して、実行され得る。いくつかの実施形態では、次いで、本方法はまた、更新１２５が単にセルのＣＧＩを報告するように無線デバイス１１１を設定するだけであるかどうかを判定すること（ブロック３０３）を含み得る。いずれにしても、いくつかの実施形態において示されるような方法３００はまた、セルのＣＧＩを報告すること（ブロック３０７）を含み得る。
【００５７】
図４は、本明細書に記載の他の様々な実施形態によるＣＧＩに関連する測定を処理するために無線デバイス１１１によって実行される方法４００の１つの実施形態を示す。方法４００は、測定対象１１５で無線デバイス１１１によって実行された測定１１７を保持するかリセットするかの指示１２６を無線ネットワークノード１０１から無線デバイス１１１によって受信すること（ブロック４０１）を含む。指示１２６は、たとえば、測定対象１１５、すなわち、測定対象１１５への更新１２５、に含まれ得る。何にせよ、方法４００はさらに、指示１２６に基づいてその対象１１５で実行された測定１１７を保持するか又はリセットするかを判定すること（ブロック４０３）を含み得る。方法４００は、次いで、指示１２６は測定１１７を保持することを指示するという判定に応答して測定対象１１５に関連する測定１１７を保持すること（ブロック４０５）、又は、指示１２６は測定１１７をリセットすることを指示するという判定に応答して測定対象１１５に関連する測定１１７をリセットすること（ブロック４０７）を含み得る。
【００５８】
いくつかの実施形態において、指示１２６は、セルのＣＧＩを報告するように無線デバイス１１１を設定する測定対象１１５への更新１２５に含まれる。たとえば、更新１２５が単にセルのＣＧＩを報告するようにデバイス１１１を設定するだけである場合、いくつかの実施形態において、指示１２６は、デバイス１１１は測定１１７を保持すべきであることを指示する。しかしながら、更新１２５が、単にセルのＣＧＩを報告するようにデバイス１１１を設定するだけではない場合、いくつかの実施形態において、指示１２６は、デバイス１１１が測定１１７をリセットすべきであることを指示する。何にせよ、したがって、いくつかの実施形態において、無線デバイス１１１は、更新１２５によって設定されたようにセルのＣＧＩを報告することができる（ブロック４０９）。
【００５９】
図５は、本明細書に記載のさらなる他の様々な実施形態によるＣＧＩに関連する測定を処理するために無線デバイス１１１によって実行される方法５００の１つの実施形態を示す。図示されるように方法５００は、無線デバイス１１１がどのセルにＣＧＩを報告すべきかの指示１２８を、測定設定の測定報告設定情報エレメント１２７又は測定ＩＤ情報エレメント１２９において、ネットワークノード１０１から、無線デバイス１１１によって、受信すること（ブロック５０１）を含む。指示１２８は、たとえば、無線デバイス１１１がＣＧＩを報告すべきセルの物理セルＩＤ（ＰＣＩ）を指示することによって、無線デバイス１１１がどのセルにＣＧＩを報告すべきかを指示することができる。何にせよ、いくつかの実施形態において、方法５００さらに、受信された指示１２８によって指示されたセルのＣＧＩを報告すること（ブロック５０３）を含む。
【００６０】
１つ又は複数の実施形態において、測定報告設定情報エレメント１２７は、報告設定を指示する。報告設定は、指示１２８を含み得る。この場合、いくつかの実施形態において、本方法はまた、たとえば、無線デバイス１１１において既存の報告設定を更新することとは対照的に、報告設定を無線デバイス１１１における報告設定のリストに追加することを含み得る。
【００６１】
いくつかの実施形態において、測定報告設定情報エレメント１２７によって指示される報告設定は、測定ＩＤ１３２を介して無線デバイス１１１における測定対象１１５にリンクされる。この場合、いくつかの実施形態において、本方法はまた、指示１２８の受信に応答して、無線デバイス１１１における測定報告エントリのリストにおいて測定ＩＤの任意の測定報告エントリを保持することを含み得る。別法として又は追加で、本方法はさらに、無線デバイス１１１における測定対象１１５の更新１２５を受信することと、更新１２５の受信に応答して、測定ＩＤ１３２の測定報告エントリを無線デバイス１１１における測定報告エントリのリストから取り除くことと、測定ＩＤ１３２のタイマーを停止することとを含み得る。すなわち、無線デバイス１１１は、この場合、測定対象１１５で実行された測定１１７をフラッシュすることができる。
【００６２】
本明細書に記載の装置は、任意の機能手段、モジュール、ユニット、又は回路を実装することによって、本明細書に記載の方法及び任意の他の処理を実施し得ることに留意されたい。１つの実施形態において、たとえば、本装置は、方法図に示すステップを実行するように設定されたそれぞれの電気回路又は回路を備える。これに関して電気回路又は回路は、メモリと連動してある種の機能的処理及び／又は１つ又は複数のマイクロプロセッサを実行することに特化した回路を備え得る。たとえば、回路は、１つ又は複数のマイクロプロセッサ又はマイクロコントローラ、並びに、デジタル信号プロセッサ（ＤＳＰ：ｄｉｇｉｔａｌ  ｓｉｇｎａｌ  ｐｒｏｃｅｓｓｏｒ）、専用デジタルロジックなどを含み得る、他のデジタルハードウェアを含み得る。処理回路は、読取り専用メモリ（ＲＯＭ）、ランダムアクセスメモリ、キャッシュメモリ、フラッシュメモリデバイス、光学式記憶デバイスなどの１つの又はいくつかのタイプのメモリを含み得る、メモリに記憶されたプログラムコードを実行するように設定され得る。メモリに記憶されたプログラムコードは、いくつかの実施形態において、１つ又は複数の電気通信及び／又はデータ通信プロトコルを実行するためのプログラム命令、並びに、本明細書に記載の技法のうちの１つ又は複数を実施するための命令を含み得る。メモリを用いる実施形態において、メモリは、１つ又は複数のプロセッサによって実行されるときに、本明細書に記載の技法を実施するプログラムコードを記憶する。
【００６３】
たとえば、図６は、本明細書に記載の様々な実施形態による無線デバイス６００の１つの実施形態を示す。図示するように、無線デバイス６００は、処理回路６１０及び通信回路６２０を含む。通信回路６２０（たとえば、無線回路）は、たとえば、任意の通信技術を介して、１つ又は複数の他のノードに情報を送信する及び／又は１つ又は複数の他のノードから情報を受信するように設定される。そのような通信は、無線デバイス６００の内部又は外部のいずれかにある１つ又は複数のアンテナを介して生じ得る。処理回路６１０は、メモリ６３０に記憶された命令を実行することなどによって、前述の処理を実行するように（たとえば、図３〜６のうちのいずれかに示すように）設定される。これに関して処理回路６１０は、ある種の機能手段、ユニット、又はモジュールを実装し得る。
【００６４】
図７は、本明細書に記載の様々な実施形態による無線ネットワーク（たとえば、図１及び図１１に示す無線ネットワーク）における無線デバイス７００の１つの実施形態の概略的ブロック図を示す。図示するように、無線デバイス７００は、たとえば、図６の処理回路６１０を介して及び／又はソフトウェアコードを介して、様々な機能手段、ユニット、又はモジュールを実装する。１つの実施形態において、たとえば、本明細書に記載の方法を実施するための、これらの機能手段、ユニット、又はモジュールは、たとえば、以下を含み得る：無線デバイスにおける測定対象の更新を受信するための受信ユニット７１１と、更新が単にセルのＣＧＩを報告するように無線デバイスを設定するだけであるかどうかを判定するための判定ユニット７１３と、更新が単にセルのＣＧＩを報告するようにデバイスを設定するだけであるかどうかに基づいて、その対象で実行された測定をそれぞれ保持又はリセットするための保持ユニット７１５及びリセットユニット７１７。
【００６５】
もう１つの実施形態において、たとえば、本明細書に記載の方法を実施するための、これらの機能手段、ユニット、又はモジュールは、たとえば、以下を含み得る：測定対象で無線デバイスによって実行される測定を保持するか又はリセットするかの指示を受信するための受信ユニット７１１と、その指示に基づいて対象で実行される測定を保持するか又はリセットするかを判定するための判定ユニット７１３と、その指示は測定を保持することを指示するという判定に応答して測定対象に関連する測定を保持するための保持ユニット７１５と、その指示は測定をリセットすることを指示するという判定に応答して測定対象に関連する測定をリセットするためのリセットユニット７１７。
【００６６】
もう１つの実施形態において、たとえば、本明細書に記載の方法を実施するための、これらの機能手段、ユニット、又はモジュールは、たとえば、無線デバイスがどのセルにＣＧＩを報告すべきかの指示を測定設定の測定報告設定情報エレメント又は測定ＩＤ情報エレメントにおいて受信するための受信ユニット７１１を含み得る。
【００６７】
図８Ａは、本明細書に記載の様々な実施形態による無線デバイス１１１によってＣＧＩに関連する測定を処理するためにネットワークノード１０１によって実行される方法８００ａの一実施形態を示す。図示されるように方法８００ａは、無線デバイス１１１における測定対象１１５への更新１２５を、ネットワークノード１０１によって、無線デバイス１１１に、送信すること（ブロック８０３ａ）を含む。この更新１２５は、更新１２５が単にセルのＣＧＩを報告するようにデバイス１１１を設定するだけであるかどうかに基づいてデバイスがその対象１１５で実行された測定１１７を保持又はリセットすることを可能にする。いくつかの実施形態では、次いで、方法８００ａはさらに、無線デバイス１１１における測定対象１１５の更新１２５を、ネットワークノード１０１によって、判定することを含む。別法として又は追加で、方法８００ａは、無線デバイス１１１から、セルのＣＧＩの報告を受信すること（ブロック８０５ａ）を含み得る。
【００６８】
図８Ｂは、本明細書に記載の他の様々な実施形態による無線デバイス１１１によってＣＧＩに関連する測定を処理するためにネットワークノード１０１によって実行される方法８００ｂの一実施形態を示す。図示されるように本方法は、測定対象１１５で無線デバイス１１１によって実行された測定１１７を保持するか又はリセットするかの指示１２６を、無線デバイス１１１に、ネットワークノード１０１によって、送信すること（ブロック８０３ｂ）を含む。指示１２６は、たとえば、測定対象１１５、すなわち、測定対象１１５への更新１２５、に含まれ得る。何にせよ、本方法はさらに、その対象１１５で実行された測定１１７を保持するか又はリセットするかを判定すること（ブロック８０１ｂ）を含み得る。
【００６９】
いくつかの実施形態において、指示１２６は、セルのＣＧＩを報告するように無線デバイス１１１を設定する測定対象１１５への更新１２５に含まれる。たとえば、更新１２５が単にセルのＣＧＩを報告するようにデバイス１１１を設定するだけである場合、いくつかの実施形態において、指示１２６は、デバイス１１１は測定１１７を保持すべきであることを指示する。しかしながら、更新１２５が、単にセルのＣＧＩを報告するようにデバイス１１１を設定するだけではない場合、いくつかの実施形態において、指示１２６は、デバイスは測定１１７をリセットすべきであると指示する。何にせよ、いくつかの実施形態において、方法８００ｂはさらに、更新１２５によって設定されたものとしてのセルのＣＧＩの報告を無線デバイス１１１から受信すること（ブロック８０５ｂ）を含む。
【００７０】
図８Ｃは、本明細書に記載のさらなる他の様々な実施形態による無線デバイス１１１によってＣＧＩに関連する測定を処理するためにネットワークノード１０１によって実行される方法８００ｃの一実施形態を示す。図示されるように方法８００ｃは、無線デバイス１１１がどのセルについてＣＧＩを報告すべきかの指示１２８を、測定設定の測定報告設定情報エレメント１２７又は測定設定の測定ＩＤ情報エレメント１２９において、無線デバイス１１１に、ネットワークノード１０１によって、送信すること（ブロック８０３ｃ）を含む。指示１２８は、たとえば、無線デバイス１１１がＣＧＩを報告すべきセルの物理セルＩＤ（ＰＣＩ）を指示することによって無線デバイス１１１がどのセルにＣＧＩを報告すべきかを指示することができる。これは、たとえば、無線デバイス１１１がどのセルにＣＧＩを報告すべきかを判定した（ブロック８０１ｃ）後に、実行され得る。何にせよ、いくつかの実施形態において、方法８００ｃはさらに、指示１２８によって指示されたセルのＣＧＩの報告を無線デバイス１１１から受信すること（ブロック８０５ｃ）を含む。
【００７１】
１つ又は複数の実施形態において、測定報告設定情報エレメント１２７は、報告設定を指示する。報告設定は、指示１２８を含み得る。この場合、報告設定は、たとえば、無線デバイス１１１において既存の報告設定を更新することとは対照的に、無線デバイス１１１が無線デバイス１１１における報告設定の無線デバイス１１１のリストに追加すべき報告設定のリストに含まれ得る。
【００７２】
いくつかの実施形態において、測定報告設定情報エレメント１２７によって指示される報告設定は、測定ＩＤ１３２を介して無線デバイス１１１における測定対象１１５にリンクされる。
【００７３】
図９は、本明細書に記載の様々な実施形態に従って実装されたものとしてのネットワークノード９００を示す。図示するように、ネットワークノード９００は、処理回路９１０及び通信回路９２０を含む。通信回路９２０は、たとえば、任意の通信技術を介して、１つ又は複数の他のノードに情報を送信する及び／又は１つ又は複数の他のノードから情報を受信するように設定される。処理回路９１０は、メモリ９３０に記憶された命令を実行することなどによって、前述の処理を実行するように（たとえば、図８Ａ〜８Ｃのうちのいずれかに示すように）設定される。これに関して処理回路９１０は、ある種の機能手段、ユニット、又はモジュールを実装し得る。
【００７４】
図１０は、本明細書に記載の様々な実施形態による無線ネットワーク内のネットワークノード１０００（たとえば、図１及び図１１に示すネットワークノード）の１つの実施形態の概略的ブロック図を示す。図示するように、ネットワークノード１０００は、たとえば、図９の処理回路９１０を介して及び／又はソフトウェアコードを介して、様々な機能手段、ユニット、又はモジュールを実装する。１つの実施形態において、たとえば、本明細書に記載の方法を実施するための、これらの機能手段、ユニット、又はモジュールは、たとえば、以下を含み得る：無線デバイスにおいて測定対象の更新を判定するための判定ユニット１０１１と、無線デバイスにおける測定対象にその更新を送信するための送信ユニット１０１３。さらに、無線デバイスは、更新が単にセルのＣＧＩを報告するようにデバイスを設定するだけであるかどうかに基づいて、その対象で実行される測定を保持する又はリセットすることが可能になる。
【００７５】
もう１つの実施形態において、たとえば、本明細書に記載の方法を実施するための、これらの機能手段、ユニット、又はモジュールは、たとえば、以下を含み得る：測定対象で無線デバイスによって実行される測定を保持するか又はリセットするかを判定するための判定ユニット１０１１と、測定対象で無線デバイスによって実行される測定を保持するか又はリセットするかの指示を無線デバイスに送信するための送信ユニット１０１３。
【００７６】
もう１つの実施形態において、たとえば、本明細書に記載の方法を実施するための、これらの機能手段、ユニット、又はモジュールは、たとえば、以下を含み得る：無線デバイスがどのセルにＣＧＩを報告すべきかを判定するための判定ユニット１０１１と、無線デバイスがどのセルについてＣＧＩを報告すべきかの指示を、測定設定の測定報告設定情報エレメント又は測定ＩＤ情報エレメントにおいて、送信するための送信ユニット１０１３。
【００７７】
本明細書に記載の実施形態は対応するコンピュータプログラムをさらに含むこともまた当業者には理解されよう。
【００７８】
コンピュータプログラムは、装置の少なくとも１つのプロセッサで実行されるときに前述のそれぞれの処理のいずれかをその装置に実行させる、命令を含む。これに関してコンピュータプログラムは、前述の手段又はユニットに対応する１つ又は複数のコードモジュールを含み得る。
【００７９】
実施形態は、そのようなコンピュータプログラムを含むキャリアをさらに含む。このキャリアは、電気信号、光信号、無線信号、又はコンピュータ可読記憶媒体のうちの１つを含み得る。
【００８０】
これに関連して、本明細書に記載の実施形態はまた、非一時的コンピュータ可読（記憶又は記録）媒体に記憶された、及び、装置のプロセッサによって実行されるときに、前述のようにその装置を実行させる命令を含む、コンピュータプログラム製品を含む。
【００８１】
実施形態はさらに、コンピュータプログラム製品がコンピュータデバイスによって実行されるときに本明細書に記載の実施形態のうちのいずれかの実施形態のステップを実行するためのプログラムコード部分を含むコンピュータプログラム製品を含む。このコンピュータプログラム製品は、コンピュータ可読記録媒体に記憶され得る。
【００８２】
付加的実施形態をここで説明する。これらの実施形態のうちの少なくともいくつかは、例示を目的としてある特定のコンテキスト及び／又は無線ネットワークタイプにおいて適用可能として説明されることがあるが、それらの実施形態は、明記されていない他のコンテキスト及び／又は無線ネットワークタイプにおいて同様に適用可能である。
【００８３】
本明細書に記載の主題は、任意の適切な構成要素を使用する任意の適切なタイプのシステムにおいて実施され得るが、本明細書で開示される実施形態は、図１１に示す例示的無線ネットワークなどの無線ネットワークに関して説明されている。簡潔にするために、図１１の無線ネットワークは、ネットワーク１１０６、ネットワークノード１１６０及び１１６０ｂ、並びに、ＷＤ１１１０、１１１０ｂ、及び１１１０ｃのみを示す。実際には、無線ネットワークは、無線デバイス間の通信或いは無線デバイスと固定電話、サービスプロバイダ、又は任意の他のネットワークノード若しくはエンドデバイスなどの別の通信デバイスとの間の通信をサポートするのに適した任意の付加的要素をさらに含み得る。示されている構成要素のうちで、ネットワークノード１１６０及び無線デバイス（ＷＤ）１１１０が、さらに詳しく描かれる。無線ネットワークは、無線ネットワークによって又はこれを介して提供されるサービスへの無線デバイスのアクセス及び／又はそのようなサービスの無線デバイスの使用を円滑にするために、通信及び他のタイプのサービスを１つ又は複数の無線デバイスに提供し得る。
【００８４】
無線ネットワークは、任意のタイプの通信、電気通信、データ、セルラ、及び／又は無線ネットワーク又は他の類似のタイプのシステムを備える、及び／又はそれらとインターフェースすることができる。一部の実施形態では、無線ネットワークは、特定の標準又は他のタイプの予め規定されたルール又は手続きに従って動作するように設定され得る。したがって、無線ネットワークの特定の実施形態は、グローバルシステムフォーモバイルコミュニケーションズ（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎｓ）、ユニバーサルモバイル通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ロングタームエボリューション（ＬＴＥ：Ｌｏｎｇ  Ｔｅｒｍ  Ｅｖｏｌｕｔｉｏｎ）、ナローバンドＩｏＴ（ＮＢ−ＩｏＴ）、及び／又は他の適切な２Ｇ、３Ｇ、４Ｇ、又は５Ｇ標準などの通信標準、ＩＥＥＥ８０２．１１標準などの無線ローカルエリアネットワーク（ＷＬＡＮ：ｗｉｒｅｌｅｓｓ  ｌｏｃａｌ  ａｒｅａ  ｎｅｔｗｏｒｋ）標準、並びに／或いは、ＷｉＭａｘ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ブルートゥース、Ｚ−Ｗａｖｅ及び／又はＺｉｇＢｅｅ標準などの任意の他の適切な無線通信標準を実装し得る。
【００８５】
ネットワーク１１０６は、１つ又は複数のバックホールネットワーク、コアネットワーク、ＩＰネットワーク、公衆交換電話網（ＰＳＴＮ：ｐｕｂｌｉｃ  ｓｗｉｔｃｈｅｄ  ｔｅｌｅｐｈｏｎｅ  ｎｅｔｗｏｒｋ）、パケットデータネットワーク、光ネットワーク、ワイドエリアネットワーク（ＷＡＮ）、ローカルエリアネットワーク（ＬＡＮ）、無線ローカルエリアネットワーク（ＷＬＡＮ）、ワイヤードネットワーク、無線ネットワーク、メトロポリタンエリアネットワーク、及び、デバイス間の通信を可能にするための他のネットワークを備え得る。
【００８６】
ネットワークノード１１６０及びＷＤ１１１０は、さらに詳しく後述される様々な構成要素を備える。これらの構成要素は、無線ネットワークにおいて無線接続を提供することなど、ネットワークノード及び／又は無線デバイス機能性を提供するために連携する。異なる実施形態において、無線ネットワークは、任意の数のワイヤード又は無線ネットワーク、ネットワークノード、基地局、コントローラ、無線デバイス、リレー局、並びに／或いは、ワイヤード接続又は無線接続のいずれを介してでもデータ及び／又は信号の通信を円滑にする又はこれに参加する任意の他の構成要素又はシステムを備え得る。
【００８７】
本明細書では、ネットワークノードは、無線デバイスへの無線アクセスを可能にする及び／又は提供するために無線デバイスと及び／又は無線ネットワーク内の他のネットワークノード又は機器と直接的又は間接的に通信する並びに／或いは無線ネットワークにおいて他の機能（たとえば、管理）を実行する能力を有する、そのように設定された、配置された及び／又は動作可能な機器を指す。ネットワークノードの例は、アクセスポイント（ＡＰ）（たとえば、無線アクセスポイント）、基地局（ＢＳ）（たとえば、無線基地局、ノードＢ、発展型ノードＢ（ｅＮＢ）及びＮＲ  ＮｏｄｅＢ（ｇＮＢ））を含むが、これらに限定されない。基地局は、それらが提供するカバレッジの量（又は、つまり、それらの送信電力レベル）に基づいて分類することができ、その場合、フェムト基地局、ピコ基地局、マイクロ基地局、又はマクロ基地局と呼ばれることもある。基地局は、リレーノード又はリレーを制御するリレードナーノードでもよい。ネットワークノードはまた、集中型デジタルユニット及び／又はリモート無線ユニット（ＲＲＵ）、リモート無線ヘッド（ＲＲＨ）と時に称される、などの分散型無線基地局の１つ又は複数の（又はすべての）部分を含み得る。そのようなリモート無線ユニットは、アンテナ統合無線のようにアンテナと統合されても統合されなくてもよい。分散型無線基地局の部分は、分散型アンテナシステム（ＤＡＳ：ｄｉｓｔｒｉｂｕｔｅｄ  ａｎｔｅｎｎａ  ｓｙｓｔｅｍ）内のノードと呼ばれることもある。ネットワークノードのさらなる例は、ＭＳＲ  ＢＳなどのマルチスタンダード無線（ＭＳＲ：ｍｕｌｔｉ−ｓｔａｎｄａｒｄ  ｒａｄｉｏ）機器、無線ネットワークコントローラ（ＲＮＣ：ｒａｄｉｏ  ｎｅｔｗｏｒｋ  ｃｏｎｔｒｏｌｌｅｒ）又は基地局コントローラ（ＢＳＣ：ｂａｓｅ  ｓｔａｔｉｏｎ  ｃｏｎｔｒｏｌｌｅｒ）などのネットワークコントローラ、基地局トランシーバ（ＢＴＳ：ｂａｓｅ  ｔｒａｎｓｃｅｉｖｅｒ  ｓｔａｔｉｏｎ）、送信ポイント、送信ノード、マルチセル／マルチキャストコーディネーションエンティティ（ＭＣＥ：ｍｕｌｔｉ−ｃｅｌｌ／ｍｕｌｔｉｃａｓｔ  ｃｏｏｒｄｉｎａｔｉｏｎ  ｅｎｔｉｔｙ）、コアネットワークノード（たとえば、ＭＳＣ、ＭＭＥ）、Ｏ＆Ｍノード、ＯＳＳノード、ＳＯＮノード、ポジショニングノード（たとえば、Ｅ−ＳＭＬＣ）、及び／又はＭＤＴを含む。別の例として、ネットワークノードは、さらに詳しく後述するような仮想ネットワークノードでもよい。しかしながら、より一般的には、ネットワークノードは、無線ネットワークへのアクセスを無線デバイスに可能にする及び／又は提供するための或いは無線ネットワークにアクセスした無線デバイスに何らかのサービスを提供するための能力を有する、そのように設定された、配置された、及び／又は動作可能な任意の適切なデバイス（又はデバイスのグループ）を表し得る。
【００８８】
図１１において、ネットワークノード１１６０は、処理回路１１７０、デバイス可読媒体１１８０、インターフェース１１９０、補助機器１１８４、電源１１８６、電力回路１１８７、及びアンテナ１１６２を含む。図１１の例示的無線ネットワークに示されたネットワークノード１１６０は、ハードウェア構成要素の図示された組合せを含むデバイスを表し得るが、他の実施形態は、構成要素の異なる組合せを有するネットワークノードを備え得る。タスク、特徴、機能及び本明細書で開示される方法を実行するために必要とされるハードウェア及び／又はソフトウェアの任意の適切な組合せをネットワークノードは備えることが、理解されよう。さらに、ネットワークノード１１６０の構成要素は、より大きなボックス内に位置する又は複数のボックス内にネストされた単一ボックスとして図示されているが、実際には、ネットワークノードは、単一の図示された構成要素を構成する複数の異なる物理構成要素を備え得る（たとえば、デバイス可読媒体１１８０は、複数の別個のハードドライブ並びに複数のＲＡＭモジュールを備え得る）。
【００８９】
同様に、ネットワークノード１１６０は、独自のそれぞれの構成要素をそれぞれが有し得る複数の物理的に別個の構成要素（たとえば、ＮｏｄｅＢ構成要素及びＲＮＣ構成要素、又はＢＴＳ構成要素及びＢＳＣ構成要素など）で構成され得る。ネットワークノード１１６０が複数の別個の構成要素（たとえば、ＢＴＳ及びＢＳＣ構成要素）を備えるある種のシナリオでは、別個の構成要素のうちの１つ又は複数は、いくつかのネットワークノードの間で共用され得る。たとえば、単一ＲＮＣは、複数のＮｏｄｅＢを制御し得る。そのようなシナリオでは、各固有のＮｏｄｅＢ及びＲＮＣペアは、場合によっては、単一の別個のネットワークノードと考えられ得る。一部の実施形態では、ネットワークノード１１６０は、複数の無線アクセス技術（ＲＡＴ）をサポートするように設定され得る。そのような実施形態では、いくつかの構成要素は、二重にされ得（たとえば、異なるＲＡＴのための別個のデバイス可読媒体１１８０）、いくつかの構成要素は再使用され得る（たとえば、同じアンテナ１１６２がＲＡＴによって共用され得る）。ネットワークノード１１６０はまた、たとえば、ＧＳＭ、ＷＣＤＭＡ、ＬＴＥ、ＮＲ、ＷｉＦｉ、又はブルートゥース無線技術など、ネットワークノード１１６０に統合された異なる無線技術のための様々な図示された構成要素の複数のセットを含み得る。これらの無線技術は、ネットワークノード１１６０内の同じ又は異なるチップ又はチップのセット及び他の構成要素内に統合され得る。
【００９０】
処理回路１１７０は、ネットワークノードによって提供されているものとして本明細書に記載された任意の判定、計算又は類似の動作（たとえば、ある種の取得動作）を実行するように設定される。処理回路１１７０によって実行されるこれらの動作は、たとえば、取得された情報を他の情報に変換すること、取得された情報又は変換された情報をネットワークノードに記憶された情報と比較すること、及び／又は取得された情報又は変換された情報に基づいて１つ又は複数の動作を実行することによって、処理回路１１７０によって取得された情報を処理すること、並びに前記処理の結果として判定を行うことを含み得る。
【００９１】
処理回路１１７０は、マイクロプロセッサ、コントローラ、マイクロコントローラ、中央処理装置、デジタル信号プロセッサ、特定用途向け集積回路、フィールドプログラマブルゲートアレイ、又は任意の他の適切なコンピューティングデバイスのうちの１つ又は複数の組合せ、資源、或いは、単独で又はデバイス可読媒体１１８０などの他のネットワークノード１１６０構成要素と併せて、ネットワークノード１１６０機能を提供するように動作可能なハードウェア、ソフトウェア及び／又は符号化されたロジックの組合せを備え得る。たとえば、処理回路１１７０は、デバイス可読媒体１１８０に又は処理回路１１７０内のメモリに記憶された命令を実行し得る。そのような機能性は、本明細書で論じられる様々な無線特徴、機能、又は利益のいずれかの提供を含み得る。一部の実施形態では、処理回路１１７０は、システムオンチップ（ＳＯＣ）を含み得る。
【００９２】
一部の実施形態では、処理回路１１７０は、無線周波数（ＲＦ）トランシーバ回路１１７２及びベースバンド処理回路１１７４のうちの１つ又は複数を含み得る。一部の実施形態では、無線周波数（ＲＦ）トランシーバ回路１１７２及びベースバンド処理回路１１７４は、別個のチップ（又はチップのセット）、ボード、又は、無線ユニット及びデジタルユニットなどのユニット上でもよい。代替実施形態において、ＲＦトランシーバ回路１１７２及びベースバンド処理回路１１７４の一部又はすべては、同じチップ又はチップのセット、ボード、又はユニット上でもよい。
【００９３】
ある種の実施形態では、ネットワークノード、基地局、ｅＮＢ又は他のそのようなネットワークデバイスによって提供されているものとしての本明細書に記載の機能性の一部又はすべては、デバイス可読媒体１１８０又は処理回路１１７０内のメモリに記憶された命令を実行する処理回路１１７０によって実行され得る。代替実施形態において、機能性のうちの一部又はすべては、ハードワイヤード方式などで、別個の又はディスクリートデバイスの可読媒体に記憶された命令を実行することなしに処理回路１１７０によって提供され得る。それらの実施形態のいずれにおいてでも、デバイス可読記憶媒体に記憶された命令を実行してもしなくても、処理回路１１７０は、記載された機能を実行するように設定することができる。そのような機能によってもたらされる利益は、単独で処理回路１１７０に又はネットワークノード１１６０の他の構成要素に制限されないが、ネットワークノード１１６０全体によって、並びに／或いは一般にエンドユーザ及び無線ネットワークによって享受される。
【００９４】
デバイス可読媒体１１８０は、処理回路１１７０によって使用され得る情報、データ、及び／又は命令を記憶する永続記憶装置、ソリッドステートメモリ、リモートに搭載されたメモリ、磁気媒体、光媒体、ランダムアクセスメモリ（ＲＡＭ）、読取り専用メモリ（ＲＯＭ）、大容量記憶媒体（たとえば、ハードディスク）、取り外し可能記憶媒体（たとえば、フラッシュドライブ、コンパクトディスク（ＣＤ）又はデジタル多用途ディスク（ＤＶＤ））、及び／又は任意の他の揮発性又は不揮発性の、非一時的デバイス可読及び／又はコンピュータ実行可能なメモリデバイスを含むがこれらに限定されない、任意の形の揮発性又は不揮発性コンピュータ可読メモリを備え得る。デバイス可読媒体１１８０は、コンピュータプログラム、ソフトウェア、ロジック、ルール、コード、テーブルなどのうちの１つ又は複数を含むアプリケーション、及び／又は処理回路１１７０によって実行することができる及びネットワークノード１１６０によって使用することができる他の命令を含む、任意の適切な命令、データ又は情報を記憶し得る。デバイス可読媒体１１８０は、処理回路１１７０によって行われる任意の計算及び／又はインターフェース１１９０を介して受信される任意のデータを記憶するために使用され得る。一部の実施形態では、処理回路１１７０及びデバイス可読媒体１１８０は、統合されると考えられ得る。
【００９５】
インターフェース１１９０は、ネットワークノード１１６０、ネットワーク１１０６、及び／又はＷＤ１１１０の間のシグナリング及び／又はデータのワイヤード又は無線通信において使用される。図示されているように、インターフェース１１９０は、たとえば、ワイヤード接続を介してネットワーク１１０６に及びネットワーク１１０６から、データを送信及び受信するために、ポート／端末１１９４を備える。インターフェース１１９０はまた、アンテナ１１６２に連結され得る又はある種の実施形態においてアンテナ１１６２の一部であることがある、無線フロントエンド回路１１９２を含む。無線フロントエンド回路１１９２は、フィルタ１１９８及び増幅器１１９６を備える。無線フロントエンド回路１１９２は、アンテナ１１６２及び処理回路１１７０に接続され得る。無線フロントエンド回路は、アンテナ１１６２と処理回路１１７０との間で通信される信号を調整するように設定され得る。無線フロントエンド回路１１９２は、無線接続を介して他のネットワークノード又はＷＤに送出されることになるデジタルデータを受信し得る。無線フロントエンド回路１１９２は、フィルタ１１９８及び／又は増幅器１１９６の組合せを使用する適切なチャンネル及び帯域幅パラメータを有する無線信号にデジタルデータを変換し得る。無線信号は、次いで、アンテナ１１６２を介して送信され得る。同様に、データを受信するとき、アンテナ１１６２は、次いで無線フロントエンド回路１１９２によってデジタルデータに変換される無線信号を収集し得る。デジタルデータは、処理回路１１７０に渡され得る。他の実施形態において、インターフェースは、異なる構成要素及び／又は異なる組合せの構成要素を備え得る。
【００９６】
ある種の代替実施形態において、ネットワークノード１１６０は、別個の無線フロントエンド回路１１９２を含まないことがあり、代わりに、処理回路１１７０が、無線フロントエンド回路を備え得、別個の無線フロントエンド回路１１９２なしにアンテナ１１６２に接続され得る。同様に、一部の実施形態では、すべての又は一部のＲＦトランシーバ回路１１７２は、インターフェース１１９０の一部と考えられ得る。さらに他の実施形態において、インターフェース１１９０は、１つ又は複数のポート又は端末１１９４、無線フロントエンド回路１１９２、並びにＲＦトランシーバ回路１１７２、無線ユニット（図示せず）の一部としての、を含み得、そして、インターフェース１１９０は、デジタルユニット（図示せず）の一部であるベースバンド処理回路１１７４と通信し得る。
【００９７】
アンテナ１１６２は、無線信号を送信及び／又は受信するように設定された、１つ又は複数のアンテナ、又はアンテナアレイを含み得る。アンテナ１１６２は、無線フロントエンド回路１１９０に結合され得、無線にデータ及び／又は信号を送信及び受信する能力を有する任意のタイプのアンテナでもよい。一部の実施形態では、アンテナ１１６２は、たとえば、２ＧＨｚと６６ＧＨｚとの間で、無線信号を送信／受信するように動作可能な１つ又は複数の全方向性の、セクタ又はパネルアンテナを備え得る。全方向性アンテナは、任意の方向において無線信号を送信／受信するために使用され得、セクタアンテナは、特定のエリア内のデバイスから無線信号を送信／受信するために使用され得、そして、パネルアンテナは、相対的に直線で無線信号を送信／受信するために使用されるサイトアンテナのラインでもよい。場合によっては、複数のアンテナの使用は、ＭＩＭＯと称され得る。ある種の実施形態では、アンテナ１１６２は、ネットワークノード１１６０とは別個でもよく、インターフェース又はポートを介してネットワークノード１１６０に接続可能になり得る。
【００９８】
アンテナ１１６２、インターフェース１１９０、及び／又は処理回路１１７０は、ネットワークノードによって実行されるものとして本明細書に記載された任意の受信動作及び／又はある種の取得動作を実行するように設定され得る。任意の情報、データ及び／又は信号が、無線デバイス、別のネットワークノード及び／又は任意の他のネットワーク機器から受信され得る。同様に、アンテナ１１６２、インターフェース１１９０、及び／又は処理回路１１７０は、ネットワークノードによって実行されるものとして本明細書に記載された任意の送信動作を実行するように設定され得る。任意の情報、データ及び／又は信号が、無線デバイス、別のネットワークノード及び／又は任意の他のネットワーク機器に送信され得る。
【００９９】
電力回路１１８７は、電力管理回路を備え得る、又はこれに連結され得、本明細書に記載の機能性を実行するための電力をネットワークノード１１６０の構成要素に供給するように設定される。電力回路１１８７は、電源１１８６から電力を受信し得る。電源１１８６及び／又は電力回路１１８７は、それぞれの構成要素に適した形でネットワークノード１１０６の様々な構成要素に電力を提供する（たとえば、それぞれの構成要素のために必要とされる電圧及び電流レベルで）ように設定され得る。電源１１８６は、電力回路１１８７及び／又はネットワークノード１１６０に含まれても、これらの外部でもよい。たとえば、ネットワークノード１１６０は、電気ケーブルなどの入力回路又はインターフェースを介して外部電源（たとえば、電気コンセント）に接続可能になり得、それにより、外部電源が電力回路１１８７に電力を供給する。さらなる例として、電源１１８６は、電力回路１１８７に接続された又はこれに統合された、バッテリ又はバッテリパックの形で電力のソースを備え得る。バッテリは、外部電源が切れた場合に非常用電源を提供し得る。光電池デバイスなどの他のタイプの電源もまた使用され得る。
【０１００】
ネットワークノード１１６０の代替実施形態は、本明細書に記載の機能性及び／又は本明細書に記載の主題をサポートするために必要な任意の機能性のうちのいずれかを含む、ネットワークノードの機能性のある種の態様を提供する責任を負い得る図１１に示されたものを超える追加の構成要素を含み得る。たとえば、ネットワークノード１１６０は、ネットワークノード１１６０への情報の入力を可能にするために、及びネットワークノード１１６０からの情報の出力を可能にするために、ユーザインターフェース機器を含み得る。これは、ネットワークノード１１６０のための診断、メンテナンス、修理、及び他の管理機能をユーザが実行することを可能にし得る。
【０１０１】
本明細書では、無線デバイス（ＷＤ）は、ネットワークノード及び／又は他の無線デバイスと無線に通信する能力を有する、そのように設定された、配置された及び／又は動作可能なデバイスを指す。特に断りのない限り、ＷＤという用語は、ユーザ機器（ＵＥ）と同義で本明細書において使用され得る。無線に通信することは、電磁波、無線波、赤外線波、及び／又は電波を介して情報を伝えるのに適した他のタイプの信号を使用して無線信号を送信／受信することを含み得る。一部の実施形態では、ＷＤは、直接の人間の相互作用なしに情報を送信及び／又は受信するように設定され得る。たとえば、ＷＤは、内部又は外部イベントによってトリガされたとき、又はネットワークからの要求に応答して、所定のスケジュールでネットワークに情報を送信するように設計され得る。ＷＤの例は、スマートフォン、携帯電話、セルフォン、ボイスオーバーＩＰ（ＶｏＩＰ）フォン、無線ローカルループフォン、デスクトップコンピュータ、携帯情報端末（ＰＤＡ）、無線カメラ、ゲーム機又はデバイス、音楽記憶デバイス、再生装置、ウェアラブル端末デバイス、無線エンドポイント、モバイル局、タブレット、ラップトップ、ラップトップ埋め込み機器（ＬＥＥ）、ラップトップ搭載機器（ＬＭＥ）、スマートデバイス、無線顧客構内機器（ＣＰＥ）、車両搭載無線端末デバイスなどを含むが、これらに限定されない。ＷＤは、たとえば、サイドリンク通信、車両対車両（Ｖ２Ｖ：ｖｅｈｉｃｌｅ−ｔｏ−ｖｅｈｉｃｌｅ）、車両対インフラストラクチャ（Ｖ２Ｉ：ｖｅｈｉｃｌｅ−ｔｏ−ｉｎｆｒａｓｔｒｕｃｔｕｒｅ）、車両対あらゆる物（Ｖ２Ｘ：ｖｅｈｉｃｌｅ−ｔｏ−ｅｖｅｒｙｔｈｉｎｇ）の３ＧＰＰ標準を実装することによって、デバイス対デバイス（Ｄ２Ｄ）通信をサポートすることができ、この場合、Ｄ２Ｄ通信デバイスと称され得る。さらに別の特定の例として、ＩｏＴ（Ｉｎｔｅｒｎｅｔ  ｏｆ  Ｔｈｉｎｇｓ）シナリオにおいて、ＷＤは、モニタリング及び／又は測定を実行する及びそのようなモニタリング及び／又は測定の結果を別のＷＤ及び／又はネットワークノードに送信するマシン又は他のデバイスを表し得る。ＷＤは、この場合、３ＧＰＰコンテキストではＭＴＣデバイスと称され得るマシン対マシン（Ｍ２Ｍ）デバイスでもよい。１つの特定の例として、ＷＤは、３ＧＰＰ  ＮＢ−ＩｏＴ（ｎａｒｒｏｗ  ｂａｎｄ  ｉｎｔｅｒｎｅｔ  ｏｆ  ｔｈｉｎｇｓ）標準を実装するＵＥでもよい。そのようなマシン又はデバイスの特定の例は、センサ、電力メータなどの計測デバイス、産業マシン、又は家庭用若しくは個人用器具（たとえば、冷蔵庫、テレビジョンなど）、パーソナルウェアラブル（たとえば、腕時計、フィットネストラッカなど）である。他のシナリオにおいて、ＷＤは、その動作状況の監視及び／又は報告或いはその動作に関連する他の機能の能力を有する車両又は他の機器を表し得る。前述のようなＷＤは、無線接続のエンドポイントを表し得、その場合、デバイスは無線端末と称され得る。さらに、前述のようなＷＤは、モバイルでもよく、その場合、それはモバイルデバイス又はモバイル端末とも称され得る。
【０１０２】
図示されているように、無線デバイス１１１０は、アンテナ１１１１、インターフェース１１１４、処理回路１１２０、デバイス可読媒体１１３０、ユーザインターフェース機器１１３２、補助機器１１３４、電源１１３６及び電力回路１１３７を含む。ＷＤ１１１０は、たとえば、少し例を挙げると、ＧＳＭ、ＷＣＤＭＡ、ＬＴＥ、ＮＲ、ＷｉＦｉ、ＷｉＭＡＸ、又はブルートゥース無線技術など、ＷＤ１１１０によってサポートされる異なる無線技術のための、図示された構成要素のうちの１つ又は複数の構成要素の複数のセットを含み得る。これらの無線技術は、ＷＤ１１１０内の他の構成要素と同じ又は異なるチップ又はチップのセットに統合され得る。
【０１０３】
アンテナ１１１１は、無線信号を送信及び／又は受信するように設定された１つ又は複数のアンテナ又はアンテナアレイを含み得、インターフェース１１１４に接続される。ある種の代替実施形態において、アンテナ１１１１は、ＷＤ１１１０とは別個でもよく、インターフェース又はポートを介してＷＤ１１１０に接続可能になり得る。アンテナ１１１１、インターフェース１１１４、及び／又は処理回路１１２０は、ＷＤによって実行されるものとして本明細書に記載されている任意の受信又は送信動作を実行するように設定され得る。任意の情報、データ及び／又は信号が、ネットワークノード及び／又は別のＷＤから受信され得る。一部の実施形態では、無線フロントエンド回路及び／又はアンテナ１１１１は、インターフェースと考えられ得る。
【０１０４】
図示されているように、インターフェース１１１４は、無線フロントエンド回路１１１２及びアンテナ１１１１を備える。無線フロントエンド回路１１１２は、１つ又は複数のフィルタ１１１８及び増幅器１１１６を備える。無線フロントエンド回路１１１４は、アンテナ１１１１及び処理回路１１２０に接続され、アンテナ１１１１と処理回路１１２０との間で通信される信号を調整するように設定される。無線フロントエンド回路１１１２は、アンテナ１１１１に連結され得る、又はアンテナ１１１１の一部でもよい。一部の実施形態では、ＷＤ１１１０は、別個の無線フロントエンド回路１１１２を含まないことがあり、そうではなく、処理回路１１２０は、無線フロントエンド回路を備え得、アンテナ１１１１に接続され得る。同様に、一部の実施形態では、ＲＦトランシーバ回路１１２２の一部又はすべては、インターフェース１１１４の一部と考えられ得る。無線フロントエンド回路１１１２は、無線接続を介して他のネットワークノード又はＷＤに送出されることになるデジタルデータを受信し得る。無線フロントエンド回路１１１２は、フィルタ１１１８及び／又は増幅器１１１６の組合せを使用して適切なチャンネル及び帯域幅パラメータを有する無線信号にデジタルデータを変換し得る。無線信号は、次いで、アンテナ１１１１を介して送信され得る。同様に、データを受信しているとき、アンテナ１１１１は、次いで無線フロントエンド回路１１１２によってデジタルデータに変換される、無線信号を収集し得る。デジタルデータは、処理回路１１２０に渡され得る。他の実施形態において、インターフェースは、異なる構成要素及び／又は異なる組合せの構成要素を備え得る。
【０１０５】
処理回路１１２０は、マイクロプロセッサ、コントローラ、マイクロコントローラ、中央処理装置、デジタル信号プロセッサ、特定用途向け集積回路、フィールドプログラマブルゲートアレイ、又は任意の他の適切なコンピューティングデバイスのうちの１つ又は複数の組合せ、資源、或いは、単独で又はデバイス可読媒体１１３０などの他のＷＤ１１１０構成要素と連動して、ＷＤ１１１０機能性を提供するように動作可能なハードウェア、ソフトウェア、及び／又は符号化されたロジックの組合せを備え得る。そのような機能性は、本明細書で論じられる様々な無線特徴又は利益のいずれかの提供を含み得る。たとえば、処理回路１１２０は、本明細書で開示される機能性を提供するために、デバイス可読媒体１１３０に又は処理回路１１２０内のメモリに記憶された命令を実行し得る。
【０１０６】
図示されているように、処理回路１１２０は、ＲＦトランシーバ回路１１２２、ベースバンド処理回路１１２４、及びアプリケーション処理回路１１２６のうちの１つ又は複数を含む。他の実施形態において、処理回路は、異なる構成要素及び／又は異なる組合せの構成要素を備え得る。ある種の実施形態では、ＷＤ１１１０の処理回路１１２０は、ＳＯＣを備え得る。一部の実施形態では、ＲＦトランシーバ回路１１２２、ベースバンド処理回路１１２４、及びアプリケーション処理回路１１２６は、別個のチップ又はチップのセット上にあることがある。代替実施形態において、ベースバンド処理回路１１２４及びアプリケーション処理回路１１２６の一部又はすべては、１つのチップ又はチップのセット内に結合され得、ＲＦトランシーバ回路１１２２は、別個のチップ又はチップのセット上にあってもよい。さらに代替実施形態において、ＲＦトランシーバ回路１１２２及びベースバンド処理回路１１２４の一部又はすべては、同じチップ又はチップのセット上にあることがあり、アプリケーション処理回路１１２６は、別個のチップ又はチップのセット上にあることがある。さらに他の代替実施形態において、ＲＦトランシーバ回路１１２２、ベースバンド処理回路１１２４、及びアプリケーション処理回路１１２６の一部又はすべては、同じチップ又はチップのセット内に結合され得る。一部の実施形態では、ＲＦトランシーバ回路１１２２は、インターフェース１１１４の一部でもよい。ＲＦトランシーバ回路１１２２は、処理回路１１２０のＲＦ信号を調整し得る。
【０１０７】
ある種の実施形態では、ＷＤによって実行されるものとして本明細書に記載の機能性の一部又はすべては、ある種の実施形態ではコンピュータ可読記憶媒体であることがある、デバイス可読媒体１１３０に記憶された命令を実行する処理回路１１２０によって提供され得る。代替実施形態において、機能性の一部の又はすべては、ハードワイヤード方式などで、別個の又はディスクリートデバイスの可読記憶媒体に記憶された命令を実行することなしに処理回路１１２０によって提供され得る。それらの特定の実施形態のうちのいずれかにおいて、デバイス可読記憶媒体に記憶された命令を実行してもしなくても、処理回路１１２０は、記載された機能性を実行するように設定され得る。そのような機能性によってもたらされる利益は、処理回路１１２０のみに又はＷＤ１１１０の他の構成要素に制限されず、ＷＤ１１１０全体によって、及び／又は一般にエンドユーザ及び無線ネットワークによって、享受される。
【０１０８】
処理回路１１２０は、ＷＤによって実行されるものとして本明細書に記載された任意の決定、計算、又は類似の動作（たとえば、ある種の取得動作）を実行するように設定され得る。処理回路１１２０によって実行されるものとしての、これらの動作は、たとえば、取得された情報を他の情報に変換すること、取得された情報又は変換された情報をＷＤ１１１０によって記憶された情報と比較すること、及び／又は取得された情報又は変換された情報に基づいて１つ又は複数の動作を実行することにより、処理回路１１２０によって取得された情報を処理すること、並びに前記処理の結果として判定を行うことを含み得る。
【０１０９】
デバイス可読媒体１１３０は、コンピュータプログラム、ソフトウェア、ロジック、ルール、コード、テーブルなどのうちの１つ又は複数を含むアプリケーション及び／又は処理回路１１２０によって実行することが可能な他の命令を記憶するように動作可能になり得る。デバイス可読媒体１１３０は、コンピュータメモリ（たとえば、ランダムアクセスメモリ（ＲＡＭ）又は読取り専用メモリ（ＲＯＭ））、大容量記憶媒体（たとえば、ハードディスク）、取り外し可能記憶媒体（たとえば、コンパクトディスク（ＣＤ）又はデジタルビデオディスク（ＤＶＤ））、及び／又は処理回路１１２０によって使用され得る情報、データ、及び／又は命令を記憶する任意の他の揮発性又は不揮発性の、非一時的デバイス可読及び／又はコンピュータ実行可能メモリデバイスを含み得る。一部の実施形態では、処理回路１１２０及びデバイス可読媒体１１３０は、統合され得る。
【０１１０】
ユーザインターフェース機器１１３２は、人間のユーザがＷＤ１１１０と相互作用することを可能にする構成要素を提供し得る。そのような相互作用は、視覚、聴覚、触覚などの多数の形態をとり得る。ユーザインターフェース機器１１３２は、ユーザへの出力を生み出すように及びユーザが入力をＷＤ１１１０に提供することを可能にするように動作可能になり得る。相互作用のタイプは、ＷＤ１１１０にインストールされたユーザインターフェース機器１１３２のタイプに応じて変化し得る。たとえば、ＷＤ１１１０がスマートフォンである場合には、相互作用はタッチスクリーンを介し得、ＷＤ１１１０がスマートメータである場合には、相互作用は、使用量（たとえば、使用されたガロン数）を提供するスクリーン又は警報音を提供する（たとえば、煙が検知された場合に）スピーカを介し得る。ユーザインターフェース機器１１３２は、入力インターフェース、デバイス及び回路と、出力インターフェース、デバイス及び回路とを含み得る。ユーザインターフェース機器１１３２は、ＷＤ１１１０への情報の入力を可能にするように設定され、処理回路１１２０に接続されて処理回路１１２０が入力情報を処理することを可能にする。ユーザインターフェース機器１１３２は、たとえば、マイクロフォン、近接若しくは他のセンサ、キー／ボタン、タッチディスプレイ、１つ又は複数のカメラ、ＵＳＢポート、又は他の入力回路を含み得る。ユーザインターフェース機器１１３２はまた、ＷＤ１１１０からの情報の出力を可能にするように、及び処理回路１１２０がＷＤ１１１０から情報を出力することを可能にするように設定される。ユーザインターフェース機器１１３２は、たとえば、スピーカ、ディスプレイ、振動回路、ＵＳＢポート、ヘッドフォンインターフェース、又は他の出力回路を含み得る。ユーザインターフェース機器１１３２の１つ又は複数の入力及び出力インターフェース、デバイス、及び回路を使用し、ＷＤ１１１０は、エンドユーザ及び／又は無線ネットワークと通信することができ、それらが本明細書に記載の機能性から利益を得ることを可能にし得る。
【０１１１】
補助機器１１３４は、ＷＤによって一般に実行されないことがあるより多くの特定の機能性を提供するように動作可能である。これは、様々な目的で測定を行うための専門のセンサ、ワイヤード通信などの付加的タイプの通信のためのインターフェースなどを備え得る。補助機器１１３４の構成要素の包含及びタイプは、実施形態及び／又はシナリオに応じて異なり得る。
【０１１２】
一部の実施形態では、電源１１３６は、バッテリ又はバッテリパックの形でもよい。外部電源（たとえば、電気コンセント）、光電池デバイス又は動力電池など、他のタイプの電源もまた使用され得る。ＷＤ１１１０はさらに、本明細書に記載又は示された任意の機能性を実行するために電源１１３６からの電力を必要とするＷＤ１１１０の様々な部分に電源１１３６から電力を届けるための電力回路１１３７を備え得る。ある種の実施形態では、電力回路１１３７は、電力管理回路を備え得る。電力回路１１３７は、付加的に又は別法として外部電源から電力を受信するように動作可能になり得、その場合、ＷＤ１１１０は、入力回路又は電気動力ケーブルなどのインターフェースを介して外部電源（電気コンセントなど）に接続可能になり得る。ある種の実施形態では、電力回路１１３７はまた、外部電源から電源１１３６に電力を届けるように動作可能になり得る。これは、たとえば、電源１１３６の充電のためでもよい。電力回路１１３７は、任意のフォーマッティング、変換、又は他の修正を電源１１３６からの電力に実行して、電力を、電力が供給される先のＷＤ１１１０のそれぞれの構成要素に適するようにさせることができる。
【０１１３】
図１２は、本明細書に記載の様々な態様によるＵＥの１つの実施形態を示す。本明細書では、ユーザ機器又はＵＥは、関連デバイスを所有及び／又は操作する人間ユーザという意味でのユーザを必ずしも有さないことがある。そうではなく、ＵＥは、人間ユーザへの販売、又は人間ユーザによる操作向けに意図されるが、特定の人間ユーザに関連付けられていないことがある、又は最初は特定の人間ユーザに関連付けられていないことがあるデバイスを表し得る（たとえば、スマートスプリンクラコントローラ）。別法として、ＵＥは、エンドユーザへの販売又はエンドユーザによる操作向けに意図されていないが、ユーザの利益に関連し得る又はユーザの利益のために操作され得るデバイスを表し得る（たとえば、スマート電力メータ）。ＵＥ１２２０は、ＮＢ−ＩｏＴ  ＵＥ、マシンタイプ通信（ＭＴＣ：ｍａｃｈｉｎｅ  ｔｙｐｅ  ｃｏｍｍｕｎｉｃａｔｉｏｎ）ＵＥ、及び／又は拡張ＭＴＣ（ｅＭＴＣ：ｅｎｈａｎｃｅｄ  ＭＴＣ）ＵＥを含む、第３世代パートナシッププロジェクト（３ＧＰＰ）によって識別された任意のＵＥでもよい。図１２に示されているような、ＵＥ１２００は、３ＧＰＰのＧＳＭ、ＵＭＴＳ、ＬＴＥ、及び／又は５Ｇ標準など、第３世代パートナシッププロジェクト（３ＧＰＰ）によって公表された１つ又は複数の通信標準による通信向けに設定されたＷＤの一例である。前述のように、ＷＤ及びＵＥという用語は、同義で使用され得る。したがって、図１２はＵＥであるが、本明細書で論じられる構成要素は、ＷＤに同等に適用可能であり、逆もまた同様である。
【０１１４】
図１２では、ＵＥ１２００は、入力／出力インターフェース１２０５、無線周波数（ＲＦ）インターフェース１２０９、ネットワーク接続インターフェース１２１１、ランダムアクセスメモリ（ＲＡＭ）１２１７、読取り専用メモリ（ＲＯＭ）１２１９、及び記憶媒体１２２１などを含むメモリ１２１５、通信サブシステム１２３１、電源１２３３、及び／又は任意の他の構成要素、或いはその任意の組合せに動作可能なように連結された、処理回路１２０１を含む。記憶媒体１２２１は、オペレーティングシステム１２２３、アプリケーションプログラム１２２５、及びデータ１２２７を含む。他の実施形態において、記憶媒体１２２１は、他の類似のタイプの情報を含み得る。ある種のＵＥは、図１２に示されたすべての構成要素、又はそれらの構成要素のサブセットのみを使用し得る。構成要素間の統合のレベルは、ＵＥによって異なり得る。さらに、ある種のＵＥは、複数のプロセッサ、メモリ、トランシーバ、送信器、受信器などの構成要素の複数のインスタンスを含み得る。
【０１１５】
図１２では、処理回路１２０１は、コンピュータ命令及びデータを処理するように設定され得る。処理回路１２０１は、１つ又は複数のハードウェア実装された状態マシン（たとえば、離散的なロジック、ＦＰＧＡ、ＡＳＩＣなどにおける）など、メモリ内のマシン可読コンピュータプログラムとして記憶されたマシン命令を実行するように動作可能な任意の順次状態マシン、適切なファームウェアと一緒のプログラマブルロジック、適切なソフトウェアと一緒の、マイクロプロセッサ又はデジタル信号プロセッサ（ＤＳＰ）などの、１つ又は複数の記憶されたプログラム、汎用プロセッサ、或いは前記の任意の組合せを実装するように設定され得る。たとえば、処理回路１２０１は、２つの中央処理装置（ＣＰＵ）を含み得る。データは、コンピュータによる使用に適した形の情報でもよい。
【０１１６】
図示された実施形態では、入力／出力インターフェース１２０５は、通信インターフェースを入力デバイス、出力デバイス、或いは、入力及び出力デバイスに提供するように設定され得る。ＵＥ１２００は、入力／出力インターフェース１２０５を介して出力デバイスを使用するように設定され得る。出力デバイスは、入力デバイスと同じタイプのインターフェースポートを使用し得る。たとえば、ＵＳＢポートは、ＵＥ１２００への入力及びＵＥ１２００からの出力を提供するために使用され得る。出力デバイスは、スピーカ、サウンドカード、ビデオカード、ディスプレイ、モニタ、プリンタ、アクチュエータ、エミッタ、スマートカード、別の出力デバイス、又はその任意の組合せでもよい。ＵＥ１２００は、ユーザがＵＥ１２００内に情報をキャプチャすることを可能にするために入力／出力インターフェース１２０５を介して入力デバイスを使用するように設定され得る。入力デバイスは、タッチセンサ式又はプレゼンスセンサ式ディスプレイ、カメラ（たとえば、デジタルカメラ、デジタルビデオカメラ、ウェブカメラなど）、マイクロフォン、センサ、マウス、トラックボール、方向性パッド、トラックパッド、スクロールホイール、スマートカードなどを含み得る。プレゼンスセンサ式ディスプレイは、ユーザからの入力を感知するための容量性又は抵抗性タッチセンサを含み得る。センサは、たとえば、加速度計、ジャイロスコープ、傾斜センサ、力センサ、磁力計、光センサ、近接センサ、別の同様のセンサ、又はその任意の組合せでもよい。たとえば、入力デバイスは、加速度計、磁力計、デジタルカメラ、マイクロフォン、及び光センサでもよい。
【０１１７】
図１２では、ＲＦインターフェース１２０９は、送信器、受信器、及びアンテナなどのＲＦ構成要素に通信インターフェースを提供するように設定され得る。ネットワーク接続インターフェース１２１１は、通信インターフェースをネットワーク１２４３ａに提供するように設定され得る。ネットワーク１２４３ａは、ローカルエリアネットワーク（ＬＡＮ）、ワイドエリアネットワーク（ＷＡＮ）、コンピュータネットワーク、無線ネットワーク、電気通信ネットワーク、別の同様のネットワーク又はその任意の組合せなど、ワイヤード及び／又は無線ネットワークを包含し得る。たとえば、ネットワーク１２４３ａは、Ｗｉ−Ｆｉネットワークを備え得る。ネットワーク接続インターフェース２１１は、イーサネット、ＴＣＰ／ＩＰ、ＳＯＮＥＴ、ＡＴＭなどの１つ又は複数の通信プロトコルによる通信ネットワークを介して１つ又は複数の他のデバイスと通信するために使用される受信器及び送信器インターフェースを含むように設定され得る。ネットワーク接続インターフェース１２１１は、通信ネットワークリンク（たとえば、光、電気など）に適した受信器及び送信器機能性を実装し得る。送信器及び受信器機能は、回路構成要素、ソフトウェア又はファームウェアを共用し得、或いは別法として別個に実装され得る。
【０１１８】
ＲＡＭ１２１７は、オペレーティングシステム、アプリケーションプログラム、及びデバイスドライバなどのソフトウェアプログラムの実行中にデータ又はコンピュータ命令の記憶又はキャッシュを行うために処理回路１２０１にバス１２０２を介してインターフェースするように設定され得る。ＲＯＭ１２１９は、コンピュータ命令又はデータを処理回路１２０１に提供するように設定され得る。たとえば、ＲＯＭ１２１９は、基本入力及び出力（Ｉ／Ｏ）、スタートアップ、又は不揮発性メモリに記憶されたキーボードからのキーストロークの受信などの基本システム機能のための不変の低レベルシステムコード又はデータを記憶するように設定され得る。記憶媒体１２２１は、ＲＡＭ、ＲＯＭ、プログラマブル読取り専用メモリ（ＰＲＯＭ）、消去可能プログラマブル読取り専用メモリ（ＥＰＲＯＭ）、電気的消去可能プログラマブル読取り専用メモリ（ＥＥＰＲＯＭ）、磁気ディスク、光ディスク、フロッピディスク、ハードディスク、取り外し可能カートリッジ、又はフラッシュドライブなどのメモリを含むように設定され得る。１つの例では、記憶媒体１２２１は、オペレーティングシステム１２２３、ウェブブラウザアプリケーションなどのアプリケーションプログラム１２２５、ウィジェット若しくはガジェットエンジン又は別のアプリケーション、及びデータファイル１２２７を含むように設定され得る。記憶媒体１２２１は、ＵＥ１２００によって使用するために、バラエティ豊かな様々なオペレーティングシステムのいずれか又はオペレーティングシステムの組合せを記憶し得る。
【０１１９】
記憶媒体１２２１は、ＲＡＩＤ（ｒｅｄｕｎｄａｎｔ  ａｒｒａｙ  ｏｆ  ｉｎｄｅｐｅｎｄｅｎｔ  ｄｉｓｋ）、フロッピディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ：ｈｉｇｈ−ｄｅｎｓｉｔｙ  ｄｉｇｉｔａｌ  ｖｅｒｓａｔｉｌｅ  ｄｉｓｃ）光ディスクドライブ、内部ハードディスクドライブ、ブルーレイ光ディスクドライブ、ホログラフィックデジタルデータストレージ（ＨＤＤＳ：ｈｏｌｏｇｒａｐｈｉｃ  ｄｉｇｉｔａｌ  ｄａｔａ  ｓｔｏｒａｇｅ）光ディスクドライブ、外部ミニデュアルインラインメモリモジュール（ＤＩＭＭ：ｍｉｎｉ−ｄｕａｌ  ｉｎ−ｌｉｎｅ  ｍｅｍｏｒｙ  ｍｏｄｕｌｅ）、同期型ダイナミックランダムアクセスメモリ（ＳＤＲＡＭ：ｓｙｎｃｈｒｏｎｏｕｓ  ｄｙｎａｍｉｃ  ｒａｎｄｏｍ  ａｃｃｅｓｓ  ｍｅｍｏｒｙ）、外部マイクロＤＩＭＭ  ＳＤＲＡＭ、加入者識別モジュール若しくは取り外し可能ユーザ識別（ＳＩＭ／ＲＵＩＭ：ｓｕｂｓｃｒｉｂｅｒ  ｉｄｅｎｔｉｔｙ  ｍｏｄｕｌｅ  ｏｒ  ａ  ｒｅｍｏｖａｂｌｅ  ｕｓｅｒ  ｉｄｅｎｔｉｔｙ）モジュールなどのスマートカードメモリ、他のメモリ、或いはその任意の組合せなどのいくつかの物理ドライブユニットを含むように設定され得る。記憶媒体１２２１は、ＵＥ１２００が、一時的又は非一時的メモリ媒体に記憶された、コンピュータで実行可能な命令、アプリケーションプログラムなどにアクセスすること、データをオフロードすること、或いはデータをアップロードすることを可能にし得る。通信システムを使用するものなどの製造品は、デバイス可読媒体を備え得る記憶媒体１２２１において有形に実施され得る。
【０１２０】
図１２において、処理回路１２０１は、通信サブシステム１２３１を使用するネットワーク１２４３ｂと通信するように設定され得る。ネットワーク１２４３ａ及びネットワーク１２４３ｂは、１つ又は複数の同じネットワーク或いは１つ又は複数の異なるネットワークでもよい。通信サブシステム１２３１は、ネットワーク１２４３ｂと通信するために使用される１つ又は複数のトランシーバを含むように設定され得る。たとえば、通信サブシステム１２３１は、ＩＥＥＥ８０２．１２、ＣＤＭＡ、ＷＣＤＭＡ、ＧＳＭ、ＬＴＥ、ＵＴＲＡＮ、ＷｉＭａｘなどの１つ又は複数の通信プロトコルによる無線アクセスネットワーク（ＲＡＮ）の別のＷＤ、ＵＥ、又は基地局など、無線通信の能力を有する別のデバイスの１つ又は複数のリモートトランシーバと通信するために使用される１つ又は複数のトランシーバを含むように設定され得る。各トランシーバは、それぞれ、ＲＡＮリンクに適した送信器又は受信器機能性（たとえば、周波数割当てなど）を実装するために送信器１２３３及び／又は受信器１２３５を含み得る。さらに、各トランシーバの送信器１２３３及び受信器１２３５は、回路構成要素、ソフトウェア又はファームウェアを共用し得る、或いは別法として別個に実装され得る。
【０１２１】
図示された実施形態において、通信サブシステム１２３１の通信機能は、データ通信、音声通信、マルチメディア通信、ブルートゥースなどの短距離通信、近距離無線通信、位置を判定するためのグローバルポジショニングシステム（ＧＰＳ）の使用などの位置ベースの通信、別の同様の通信機能、或いはその任意の組合せを含み得る。たとえば、通信サブシステム１２３１は、セルラ通信、Ｗｉ−Ｆｉ通信、ブルートゥース通信、及びＧＰＳ通信を含み得る。ネットワーク１２４３ｂは、ローカルエリアネットワーク（ＬＡＮ）、ワイドエリアネットワーク（ＷＡＮ）、コンピュータネットワーク、無線ネットワーク、電気通信ネットワーク、別の同様のネットワーク又はその任意の組合せなど、ワイヤード及び／又は無線ネットワークを包含し得る。たとえば、ネットワーク１２４３ｂは、セルラネットワーク、Ｗｉ−Ｆｉネットワーク、及び／又は近距離無線ネットワークでもよい。電源１２１３は、交流（ＡＣ）又は直流（ＤＣ）電力をＵＥ１２００の構成要素に提供するように設定され得る。
【０１２２】
本明細書に記載の特徴、利益及び／又は機能は、ＵＥ１２００の構成要素のうちの１つにおいて実装され得る、又はＵＥ１２００の複数の構成要素を横断して分割され得る。さらに、本明細書に記載の特徴、利益、及び／又は機能は、ハードウェア、ソフトウェア又はファームウェアの任意の組合せにおいて実装され得る。１つの例では、通信サブシステム１２３１は、本明細書に記載の構成要素のいずれかを含むように設定され得る。さらに、処理回路１２０１は、バス１２０２を介してそのような構成要素のいずれかと通信するように設定され得る。別の例では、そのような構成要素のいずれかは、処理回路１２０１によって実行されたときに本明細書に記載の対応する機能を実行するメモリに記憶されたプログラム命令によって表され得る。別の例では、そのような構成要素のうちのいずれかの構成要素の機能性は、処理回路１２０１と通信サブシステム１２３１との間で分割され得る。別の例では、そのような構成要素のうちのいずれかの構成要素の非計算集約的機能は、ソフトウェア又はファームウェアにおいて実装され得、計算集約的機能は、ハードウェアにおいて実装され得る。
【０１２３】
図１３は、一部の実施形態によって実装される機能が仮想化され得る仮想化環境１３００を示す概略的ブロック図である。これに関連して、仮想化は、ハードウェアプラットフォーム、記憶デバイス及びネットワーク資源の仮想化を含み得る装置又はデバイスの仮想バージョンの作成を意味する。本明細書では、仮想化は、ノード（たとえば、仮想化された基地局又は仮想化された無線アクセスノード）に或いはデバイス（たとえば、ＵＥ、無線デバイス又は任意の他のタイプの通信デバイス）又はその構成要素に適用することができ、機能性の少なくとも一部分が１つ又は複数の仮想構成要素として実装される（たとえば、１つ又は複数のアプリケーション、構成要素、機能、仮想マシン又は１つ又は複数のネットワーク内の１つ又は複数の物理処理ノードで実行するコンテナを介して）実装形態に関する。
【０１２４】
一部の実施形態では、本明細書に記載の機能の一部又はすべては、ハードウェアノード１３３０のうちの１つ又は複数によってホストされる１つ又は複数の仮想環境１３００において実装された１つ又は複数の仮想マシンによって実行される仮想構成要素として実装され得る。さらに、仮想ノードが無線アクセスノードではない又は無線接続性（たとえば、コアネットワークノード）を必要としない実施形態では、そのとき、ネットワークノードは、完全に仮想化され得る。
【０１２５】
本機能は、本明細書で開示される実施形態のうちのいくつかの実施形態の特徴、機能、及び／又は利益のうちのいくつかを実装するように動作可能な１つ又は複数のアプリケーション１３２０（ソフトウェアインスタンス、仮想アプライアンス、ネットワーク機能、仮想ノード、仮想ネットワーク機能などと別称され得る）によって実装され得る。アプリケーション１３２０は、処理回路１３６０及びメモリ１３９０を備えるハードウェア１３３０を提供する仮想化環境１３００において実行される。メモリ１３９０は、処理回路１３６０によって実行可能な命令１３９５を含み、それにより、アプリケーション１３２０は、本明細書で開示される特徴、利益、及び／又は機能のうちの１つ又は複数を提供するように動作可能である。
【０１２６】
仮想化環境１３００は、民生（ＣＯＴＳ：ｃｏｍｍｅｒｃｉａｌ  ｏｆｆ−ｔｈｅ−ｓｈｅｌｆ）プロセッサ、特定用途向け集積回路（ＡＳＩＣ）、或いはデジタル若しくはアナログハードウェア構成要素又は専用プロセッサを含む任意の他のタイプの処理回路でもよい、１セットの１つ又は複数のプロセッサ又は処理回路１３６０を備えた、汎用又は専用ネットワークハードウェアデバイス１３３０を備える。各ハードウェアデバイスは、命令１３９５又は処理回路１３６０によって実行されるソフトウェアを一時的に記憶するための非永続メモリでもよいメモリ１３９０−１を備え得る。各ハードウェアデバイスは、物理ネットワークインターフェース１３８０を含む、ネットワークインターフェースカードとしても知られる、１つ又は複数のネットワークインターフェースコントローラ（ＮＩＣ：ｎｅｔｗｏｒｋ  ｉｎｔｅｒｆａｃｅ  ｃｏｎｔｒｏｌｌｅｒ）１３７０を備え得る。各ハードウェアデバイスはまた、ソフトウェア１３９５がそこに記憶された非一時的、永続的、マシン可読記憶媒体１３９０−２、及び／又は処理回路１３６０によって実行可能な命令を含み得る。ソフトウェア１３９５は、１つ又は複数の仮想化レイヤ１３５０（ハイパーバイザとも呼ばれる）のインスタンスを作成するためのソフトウェア、仮想マシン１３４０を実行するためのソフトウェア、並びに本明細書に記載のいくつかの実施形態に関連して記載された機能、特徴及び／又は利益をそれが実行することを可能にするソフトウェアを含む、任意のタイプのソフトウェアを含み得る。
【０１２７】
仮想マシン１３４０は、仮想処理、仮想メモリ、仮想ネットワーキング又はインターフェース及び仮想ストレージを備え、対応する仮想化レイヤ１３５０又はハイパーバイザによって実行され得る。仮想アプライアンス１３２０のインスタンスの異なる実施形態は、仮想マシン１３４０のうちの１つ又は複数で実装され得、実装形態は、異なる形で行われ得る。
【０１２８】
動作中、処理回路１３６０は、仮想マシンモニタ（ＶＭＭ：ｖｉｒｔｕａｌ  ｍａｃｈｉｎｅ  ｍｏｎｉｔｏｒ）と時に称されることがあるハイパーバイザ又は仮想化レイヤ１３５０のインスタンスを作成するために、ソフトウェア１３９５を実行する。仮想化レイヤ１３５０は、仮想マシン１３４０にネットワーキングハードウェアのように見える仮想オペレーティングプラットフォームを示し得る。
【０１２９】
図１３に示されるように、ハードウェア１３３０は、一般又は特定の構成要素を有するスタンドアロンネットワークノードでもよい。ハードウェア１３３０は、アンテナ１３２２５を備え得、仮想化を介していくつかの機能を実装し得る。別法として、ハードウェア１３３０は、多数のハードウェアノードが連携する及び、とりわけアプリケーション１３２０のライフサイクル管理を監督する、管理及び編成（ＭＡＮＯ：ｍａｎａｇｅｍｅｎｔ  ａｎｄ  ｏｒｃｈｅｓｔｒａｔｉｏｎ）１３１０を介して管理される、ハードウェアのより大きなクラスタ（たとえば、データセンタ又は顧客構内機器（ＣＰＥ）内など）の一部でもよい。
【０１３０】
ハードウェアの仮想化は、いくつかの文脈では、ネットワーク機能仮想化（ＮＦＶ：ｎｅｔｗｏｒｋ  ｆｕｎｃｔｉｏｎ  ｖｉｒｔｕａｌｉｚａｔｉｏｎ）と称される。ＮＦＶは、データセンタ及び顧客構内機器内に置かれ得る、業界標準高容量サーバハードウェア、物理スイッチ、及び物理ストレージに多数のネットワーク機器タイプを統合するために使用され得る。
【０１３１】
ＮＦＶとの関連で、仮想マシン１３４０は、プログラムが物理的な非仮想化マシンで実行していたかのようにプログラムを実行する物理マシンのソフトウェア実装形態でもよい。それぞれの仮想マシン１３４０、及びその仮想マシンを実行するハードウェア１３３０のその部分は、それがその仮想マシン専用のハードウェア及び／又は他の仮想マシン１３４０とその仮想マシンによって共用されるハードウェアであれば、別個の仮想ネットワーク要素（ＶＮＥ）を形成する。
【０１３２】
さらにＮＦＶに関連して、仮想ネットワーク機能（ＶＮＦ：Ｖｉｒｔｕａｌ  Ｎｅｔｗｏｒｋ  Ｆｕｎｃｔｉｏｎ）は、ハードウェアネットワーキングインフラストラクチャ１３３０の最上部の１つ又は複数の仮想マシン１３４０において実行する特定のネットワーク機能を処理する責任を有し、図１３のアプリケーション１３２０に対応する。
【０１３３】
一部の実施形態では、１つ又は複数の送信器１３２２及び１つ又は複数の受信器１３２１をそれぞれ含む１つ又は複数の無線ユニット１３２０は、１つ又は複数のアンテナ１３２５に連結され得る。無線ユニット１３２０は、１つ又は複数の適切なネットワークインターフェースを介してハードウェアノード１３３０と直接通信することができ、無線アクセスノード又は基地局などの無線能力を有する仮想ノードを提供するために仮想構成要素と組み合わせて使用され得る。
【０１３４】
一部の実施形態では、一部のシグナリングは、別法としてハードウェアノード１３３０と無線ユニット１３２０との間の通信のために使用され得る制御システム１３２３の使用の影響を受け得る。
【０１３５】
図１４は、いくつかの実施形態によるホストコンピュータに中間ネットワークを介して接続された電気通信ネットワークを示す。具体的には、図１４を参照すると、一実施形態によれば、通信システムは、無線アクセスネットワークなどのアクセスネットワーク１４１１及びコアネットワーク１４１４を備える、３ＧＰＰタイプのセルラネットワークなどの電気通信ネットワーク１４１０を含む。アクセスネットワーク１４１１は、それぞれが対応するカバレッジエリア１４１３ａ、１４１３ｂ、１４１３ｃを規定する、ＮＢ、ｅＮＢ、ｇＮＢ又は他のタイプの無線アクセスポイントなどの複数の基地局１４１２ａ、１４１２ｂ、１４１２ｃを備える。各基地局１４１２ａ、１４１２ｂ、１４１２ｃは、ワイヤード又は無線接続１４１５を介してコアネットワーク１４１４に接続可能である。カバレッジエリア１４１３ｃ内に置かれた第１のＵＥ１４９１は、対応する基地局１４１２ｃに無線で接続される又は対応する基地局１４１２ｃによってページングされるように設定され得る。カバレッジエリア１４１３ａ内の第２のＵＥ１４９２は、対応する基地局１４１２ａに無線に接続可能である。複数のＵＥ１４９１、１４９２が本例では図示されているが、開示される実施形態は、唯一のＵＥがカバレッジエリア内にある又は唯一のＵＥが対応する基地局１４１２に接続している状況に同等に適用可能である。
【０１３６】
電気通信ネットワーク１４１０自体は、ホストコンピュータ１４３０に接続され、ホストコンピュータ１４３０は、スタンドアロンサーバ、クラウド実装されたサーバ、分散型サーバのハードウェア及び／又はソフトウェアにおいて或いはサーバファーム内の処理資源として実施され得る。ホストコンピュータ１４３０は、サービスプロバイダの所有権又は制御の下にあってもよく、或いはサービスプロバイダによって又はサービスプロバイダのために動作させられ得る。電気通信ネットワーク１４１０とホストコンピュータ１４３０との接続１４２１及び１４２２は、コアネットワーク１４１４からホストコンピュータ１４３０に直接延びてもよく、或いはオプションの中間ネットワーク１４２０を介してもよい。中間ネットワーク１４２０は、パブリックネットワーク、プライベートネットワーク又はホスト型ネットワークのうちの１つ、又はそれらのうちの２つ以上の組合せでもよく、中間ネットワーク１４２０は、もしあるなら、バックボーンネットワーク又はインターネットでもよく、具体的には、中間ネットワーク１４２０は、２つ以上のサブネットワーク（図示せず）を備え得る。
【０１３７】
全体としての図１４の通信システムは、接続されたＵＥ１４９１、１４９２及びホストコンピュータ１４３０の間の接続性を有効にする。接続性は、オーバーザトップ（ＯＴＴ：ｏｖｅｒ−ｔｈｅ−ｔｏｐ）接続１４５０として説明され得る。ホストコンピュータ１４３０及び接続されたＵＥ１４９１、１４９２は、媒介としてアクセスネットワーク１４１１、コアネットワーク１４１４、任意の中間ネットワーク１４２０及び可能なさらなるインフラストラクチャ（図示せず）を使用し、ＯＴＴ接続１４５０を介してデータ及び／又はシグナリングを通信するように設定される。ＯＴＴ接続１４５０は、ＯＴＴ接続１４５０が通過する参加通信デバイスはアップリンク及びダウンリンク通信のルーティングを認識しないという意味で、透過的になり得る。たとえば、基地局１４１２は、接続されたＵＥ１４９１に転送される（たとえば、ハンドオーバされる）ことになるホストコンピュータ１４３０に由来するデータとの着信ダウンリンク通信の過去のルーティングに関して知らされないことがある、又は知らされる必要はない。同様に、基地局１４１２は、ＵＥ１４９１からホストコンピュータ１４３０に向けて始められる外向きのアップリンク通信の未来のルーティングを認識する必要はない。
【０１３８】
前段落で論じられたＵＥ、基地局及びホストコンピュータの一実施形態による例示的実装形態について、図１５を参照して、ここで説明する。図１５は、いくつかの実施形態による部分的無線接続を介してユーザ機器と基地局を介して通信するホストコンピュータを示す。通信システム１５００では、ホストコンピュータ１５１０は、通信システム１５００の異なる通信デバイスのインターフェースとのワイヤード又は無線接続をセットアップ及び維持するように設定された通信インターフェース１５１６を含むハードウェア１５１５を備える。ホストコンピュータ１５１０はさらに、ストレージ及び／又は処理能力を有し得る処理回路１５１８を備える。具体的には、処理回路１５１８は、１つ又は複数のプログラマブルプロセッサ、特定用途向け集積回路、フィールドプログラマブルゲートアレイ、或いは命令を実行するようになされたこれらの組合せ（図示せず）を備え得る。ホストコンピュータ１５１０はさらに、ホストコンピュータ１５１０に記憶された若しくはこれによってアクセス可能な及び処理回路１５１８によって実行可能な、ソフトウェア１５１１を備える。ソフトウェア１５１１は、ホストアプリケーション１５１２を含む。ホストアプリケーション１５１２は、ＵＥ１５３０及びホストコンピュータ１５１０で終了するＯＴＴ接続１５５０を介して接続するＵＥ１５３０など、リモートユーザにサービスを提供するように動作可能になり得る。サービスのリモートユーザへの提供において、ホストアプリケーション１５１２は、ＯＴＴ接続１５５０を使用して送信されるユーザデータを提供し得る。
【０１３９】
通信システム１５００はさらに、電気通信システムにおいて提供される並びにホストコンピュータ１５１０と及びＵＥ１５３０とそれが通信することを可能にするハードウェア１５２５を備える、基地局１５２０を含む。ハードウェア１５２５は、通信システム１５００の異なる通信デバイスのインターフェースとのワイヤード又は無線接続をセットアップ及び維持するための通信インターフェース１５２６、並びに基地局１５２０によってサービスされるカバレッジエリア（図１５には図示せず）内に置かれたＵＥ１５３０との無線接続１５７０を少なくともセットアップ及び維持するための無線インターフェース１５２７を含み得る。通信インターフェース１５２６は、ホストコンピュータ１５１０への接続１５６０を円滑にするように設定され得る。接続１５６０は直接でもよく、或いは、接続１５６０は、電気通信システムのコアネットワーク（図１５に示さず）を通過及び／又は電気通信システム外部の１つ又は複数の中間ネットワークを通過してもよい。示された実施形態では、基地局１５２０のハードウェア１５２５はさらに、１つ又は複数のプログラマブルプロセッサ、特定用途向け集積回路、フィールドプログラマブルゲートアレイ、又は命令を実行するようになされたこれらの組合せ（図示せず）を備え得る、処理回路１５２８を含む。基地局１５２０はさらに、内部に記憶された又は外部接続を介してアクセス可能なソフトウェア１５２１を有する。
【０１４０】
通信システム１５００はさらに、すでに参照されたＵＥ１５３０を含む。ＵＥ１５３０のハードウェア１５３５は、ＵＥ１５３０が現在位置するカバレッジエリアにサービスする基地局との無線接続１５７０をセットアップ及び維持するように設定された無線インターフェース１５３７を含み得る。ＵＥ１５３０のハードウェア１５３５はさらに、１つ又は複数のプログラマブルプロセッサ、特定用途向け集積回路、フィールドプログラマブルゲートアレイ、又は命令を実行するようになされたこれらの組合せ（図示せず）を備え得る、処理回路１５３８を含む。ＵＥ１５３０はさらに、ＵＥ１５３０に記憶された若しくはこれによってアクセス可能な及び処理回路１５３８によって実行可能なソフトウェア１５３１を備える。ソフトウェア１５３１は、クライアントアプリケーション１５３２を含む。クライアントアプリケーション１５３２は、ホストコンピュータ１５１０のサポートを有して、ＵＥ１５３０を介して人間又は非人間ユーザにサービスを提供するように動作可能になり得る。ホストコンピュータ１５１０では、実行中のホストアプリケーション１５１２は、ＵＥ１５３０及びホストコンピュータ１５１０で終了するＯＴＴ接続１５５０を介して実行中のクライアントアプリケーション１５３２と通信し得る。ユーザへのサービス提供において、クライアントアプリケーション１５３２は、ホストアプリケーション１５１２から要求データを受信し、要求データに応答してユーザデータを提供することができる。ＯＴＴ接続１５５０は、要求データ及びユーザデータの両方を転送することができる。クライアントアプリケーション１５３２は、ユーザと相互作用して、それが提供するユーザデータを生成することができる。
【０１４１】
図１５に示されたホストコンピュータ１５１０と、基地局１５２０と、ＵＥ１５３０とは、それぞれ、図１４のホストコンピュータ１４３０と、基地局１４１２ａ、１４１２ｂ、１４１２ｃのうちの１つと、ＵＥ１４９１、１４９２のうちの１つと類似する又は同一であってもよいことに留意されたい。すなわち、これらのエンティティの内部の動きは、図１５に示されるようでもよく、独立して、周囲のネットワークトポロジは、図１４のそれでもよい。
【０１４２】
図１５において、ＯＴＴ接続１５５０は、媒介デバイスの明示的参照及びこれらのデバイスを介するメッセージの正確なルーティングなしに、基地局１５２０を介するホストコンピュータ１５１０とＵＥ１５３０との通信を説明するために抽象的に描かれてある。ネットワークインフラストラクチャは、ルーティングを判定することができ、それは、ＵＥ１５３０から若しくはサービスプロバイダオペレーティングホストコンピュータ１５１０から又はその両方から隠すように設定され得る。ＯＴＴ接続１５５０がアクティブである間、ネットワークインフラストラクチャは、それがルーティングを動的に変更する判定（たとえば、ネットワークの負荷バランシング検討又は再設定に基づく）をさらに行うことができる。
【０１４３】
ＵＥ１５３０と基地局１５２０との間の無線接続１５７０は、本開示を通じて説明される実施形態の教示に従う。様々な実施形態のうちの１つ又は複数は、無線接続１５７０が最後のセグメントを形成する、ＯＴＴ接続１５５０を使用してＵＥ１５３０に提供されるＯＴＴサービスのパフォーマンスを改善する。
【０１４４】
測定手続きは、１つ又は複数の実施形態が改善するモニタリングデータレート、レイテンシ及び他の要因を目的として、提供され得る。測定結果の変動に応答して、ホストコンピュータ１５１０とＵＥ１５３０との間のＯＴＴ接続１５５０を再設定するためのオプションのネットワーク機能性がさらに存在し得る。測定手続き及び／又はＯＴＴ接続１５５０を再設定するためのネットワーク機能性は、ホストコンピュータ１５１０のソフトウェア１５１１及びハードウェア１５１５において、又はＵＥ１５３０のソフトウェア１５３１及びハードウェア１５３５において、又はその両方で実装され得る。実施形態において、センサ（図示せず）は、ＯＴＴ接続１５５０が通過する通信デバイスにおいて又はそのような通信デバイスに関連して配備され得、センサは、上記で例示されたモニタされる数量の値を供給すること、或いはそこからソフトウェア１５１１、１５３１がモニタされる数量を計算又は推定し得る他の物理数量の値を供給することによって、測定手続きに参加し得る。ＯＴＴ接続１５５０の再設定は、メッセージフォーマット、再送信設定、好ましいルーティングなどを含み得、再設定は基地局１５２０に影響を及ぼす必要はなく、そして、それは基地局１５２０に知られてなくても又は感知できなくてもよい。そのような手続き及び機能性は、当分野では知られており、実施されることがある。ある種の実施形態では、測定は、スループット、伝搬時間、レイテンシなどのホストコンピュータ１５１０の測定を円滑にする占有ＵＥシグナリングを含み得る。ソフトウェア１５１１及び１５３１が、ＯＴＴ接続１５５０を使用し、それが伝搬時間、エラーなどをモニタする間に、メッセージ、具体的には空の又は「ダミー」メッセージ、を送信させるので、測定は実装され得る。
【０１４５】
図１６は、１つの実施形態による、通信システムにおいて実装される方法を示す流れ図である。通信システムは、図１４及び１６を参照して説明されるものでもよいホストコンピュータ、基地局及びＵＥを含む。本開示を簡単にするために、図１６のみの図面の参照が、このセクションに含まれることになる。ステップ１６１０において、ホストコンピュータはユーザデータを提供する。ステップ１６１０のサブステップ１６１１（オプションでもよい）では、ホストコンピュータは、ホストアプリケーションを実行することによって、ユーザデータを提供する。ステップ１６２０では、ホストコンピュータは、ユーザデータをＵＥに運ぶ送信を開始する。ステップ１６３０（オプションでもよい）では、基地局が、本開示を通して説明される実施形態の教示に従って、ホストコンピュータが開始した送信において運ばれたユーザデータをＵＥに送信する。ステップ１６４０（やはりオプションでもよい）で、ＵＥは、ホストコンピュータによって実行されるホストアプリケーションに関連するクライアントアプリケーションを実行する。
【０１４６】
図１７は、１つの実施形態による、通信システムにおいて実装される方法を示す流れ図である。通信システムは、図１４及び１５を参照して説明されるものでもよいホストコンピュータ、基地局及びＵＥを含む。本開示を簡単にするために、図１７の図面の参照のみが、このセクションに含まれることになる。本方法のステップ１７１０において、ホストコンピュータはユーザデータを提供する。オプションのサブステップ（図示せず）において、ホストコンピュータは、ホストアプリケーションを実行することによって、ユーザデータを提供する。ステップ１７２０で、ホストコンピュータは、ユーザデータをＵＥに運ぶ送信を開始する。送信は、本開示を通して説明される実施形態の教示によれば、基地局を通り得る。ステップ１７３０（オプションでもよい）で、ＵＥは、その送信で運ばれたユーザデータを受信する。
【０１４７】
図１８は、１つの実施形態による、通信システムにおいて実装される方法を示す流れ図である。通信システムは、図１４及び１５を参照して説明されるものでもよいホストコンピュータ、基地局及びＵＥを含む。本開示を簡単にするために、図１８の図面の参照のみが、このセクションに含まれることになる。ステップ１８１０（オプションでもよい）で、ＵＥは、ホストコンピュータによって提供された入力データを受信する。追加で又は別法として、ステップ１８２０で、ＵＥはユーザデータを提供する。ステップ１８２０のサブステップ１８２１（オプションでもよい）で、ＵＥは、クライアントアプリケーションを実行することによって、ユーザデータを提供する。ステップ１８１０のサブステップ１８１１（オプションでもよい）で、ＵＥは、ホストコンピュータによって提供される受信された入力データに反応してユーザデータを提供するクライアントアプリケーションを実行する。ユーザデータの提供において、実行されるクライアントアプリケーションは、ユーザから受信されたユーザ入力をさらに考慮し得る。ユーザデータが提供された具体的方式にかかわらず、ＵＥは、サブステップ１８３０（オプションでもよい）で、ユーザデータのホストコンピュータへの送信を開始する。本方法のステップ１８４０において、ホストコンピュータは、本開示を通して説明される実施形態の教示によれば、ＵＥから送信されたユーザデータを受信する。
【０１４８】
図１９は、１つの実施形態による、通信システムにおいて実施される方法を示すフローチャートである。通信システムは、図１４及び１５を参照して説明されるものでもよいホストコンピュータ、基地局及びＵＥを含む。本開示を簡単にするために、図１９の図面の参照のみが、このセクションに含まれることになる。ステップ１９１０（オプションでもよい）において、本開示を通して説明される実施形態の教示に従って、基地局は、ユーザデータをＵＥから受信する。ステップ１９２０（オプションでもよい）で、基地局は、受信されたユーザデータのホストコンピュータへの送信を開始する。ステップ１９３０（オプションでもよい）で、ホストコンピュータは、基地局によって開始された送信で運ばれたユーザデータを受信する。
【０１４９】
本明細書で開示される任意の適切なステップ、方法、特徴、機能、又は利益は、１つ又は複数の仮想装置の１つ又は複数の機能ユニット又はモジュールを通して実行され得る。各仮想装置は、いくつかのこれらの機能ユニットを備え得る。これらの機能ユニットは、１つ又は複数のマイクロプロセッサ又はマイクロコントローラを含み得る、処理回路並びに、デジタル信号プロセッサ（ＤＳＰ）、専用デジタルロジックなどを含み得る、他のデジタルハードウェアを介して実装され得る。処理回路は、読取り専用メモリ（ＲＯＭ）、ランダムアクセスメモリ（ＲＡＭ）、キャッシュメモリ、フラッシュメモリデバイス、光学式記憶デバイスなどの、１つの又はいくつかのタイプのメモリを含み得る、メモリに記憶されたプログラムコードを実行するように設定され得る。メモリに記憶されたプログラムコードは、１つ又は複数の電気通信及び／又はデータ通信プロトコルを実行するためのプログラム命令並びに本明細書に記載の技法のうちの１つ又は複数を実施するための命令を含む。いくつかの実装形態において、処理回路は、本開示の１つ又は複数の実施形態による対応する機能をそれぞれの機能ユニットに実行させるために使用され得る。
【０１５０】
一般に、本明細書で使用されるすべての用語は、異なる意味が明確に与えられている及び／又はそれが使用されている文脈において暗示されている場合を除いて、関連技術分野におけるそれらの通常の意味に従って解釈されることになる。要素、装置、構成要素、手段、ステップなどへのすべての参照は、特に明示的な記載のない限り、要素、装置、構成要素、手段、ステップなどの少なくとも１つのインスタンスを参照するものとしてオープンに解釈されることになる。本明細書で開示されるいずれの方法のステップも、ステップが別のステップに続く若しくは先行するものとして明示的に記述されている及び／又はステップが別のステップに続く若しくは先行する必要があることが黙示されている場合を除いて、開示された正確な順番で実行される必要はない。本明細書で開示される実施形態のいずれかの任意の特徴は、適切であれば、任意の他の実施形態に適用され得る。同様に、実施形態のいずれかの任意の優位性は、任意の他の実施形態に適用され得、逆もまた同様である。含まれる実施形態の他の目的、特徴及び優位性が、説明から明らかとなろう。
【０１５１】
ユニットという用語は、電子工学、電気デバイス及び／又は電子デバイスの分野における従来の意味を有し得、たとえば、本明細書に記載されているものなどのような、電気及び／又は電子回路、デバイス、モジュール、プロセッサ、メモリ、ロジックソリッドステート及び／又はディスクリートデバイス、それぞれのタスク、手続き、計算、出力、及び／又は表示機能を実行するためのコンピュータプログラム又は命令などを含み得る。
【０１５２】
本明細書で企図されている実施形態のうちのいくつかが、添付の図面を参照してさらに十分に説明される。しかしながら、他の実施形態が、本明細書で開示される主題の範囲に含まれる。開示される主題は、本明細書に記載の実施形態のみに限定されるものとして解釈されるべきではなく、そうではなくて、これらの実施形態は、当業者に本主題の範囲を伝えるために例として提供される。
【図１Ａ】
2021503752.tif 000003
【図１Ｂ】
2021503752.tif 000004
【図１Ｃ】
2021503752.tif 000005
【図２Ａ】
2021503752.tif 000006
【図２Ｂ】
2021503752.tif 000007
【図２Ｃ】
2021503752.tif 000008
【図２Ｄ】
2021503752.tif 000009
【図３】
2021503752.tif 000010
【図４】
2021503752.tif 000011
【図５】
2021503752.tif 000012
【図６】
2021503752.tif 000013
【図７】
2021503752.tif 000014
【図８Ａ】
2021503752.tif 000015
【図８Ｂ】
2021503752.tif 000016
【図８Ｃ】
2021503752.tif 000017
【図９】
2021503752.tif 000018
【図１０】
2021503752.tif 000019
【図１１】
2021503752.tif 000020
【図１２】
2021503752.tif 000021
【図１３】
2021503752.tif 000022
【図１４】
2021503752.tif 000023
【図１５】
2021503752.tif 000024
【図１６】
2021503752.tif 000025
【図１７】
2021503752.tif 000026
【図１８】
2021503752.tif 000027
【図１９】
2021503752.tif 000028
【手続補正書】
【提出日】令和2年7月31日(2020.7.31)
【手続補正１】
【補正対象書類名】特許請求の範囲
【補正対象項目名】全文
【補正方法】変更
【補正の内容】
【特許請求の範囲】
【請求項１】
無線デバイス（１１１）によって実行される方法であって、
前記無線デバイス（１１１）がどのセルについてセルグローバル識別子（ＣＧＩ）を報告すべきかの指示（１２８）を、測定設定の測定報告設定情報エレメント（１２７）又は測定設定の測定ＩＤ情報エレメント（１２９）において、ネットワークノード（１０１）から、前記無線デバイス（１１１）によって、受信すること（５０１）と、
前記受信された指示（１２８）によって指示されたセルのＣＧＩを報告すること（５０３）と
を含む、方法。
【請求項２】
前記指示（１２８）が、前記測定報告設定情報エレメント（１２７）において受信される、請求項１に記載の方法。
【請求項３】
前記測定報告設定情報エレメント（１２７）が、報告設定を指示し、前記報告設定が、前記指示（１２８）を含み、前記方法がさらに、前記無線デバイス（１１１）における報告設定のリスト（１３０）に前記報告設定を追加することを含む、請求項２に記載の方法。
【請求項４】
前記測定報告設定情報エレメント（１２７）によって指示される報告設定が、前記無線デバイス（１１１）における測定対象に測定ＩＤを介してリンクされ、前記方法がさらに、前記指示（１２８）の受信に応答して、前記無線デバイス（１１１）における測定報告エントリのリストにおいて前記測定ＩＤの任意の測定報告エントリを保持することを含む、請求項１から３のいずれか一項に記載の方法。
【請求項５】
前記測定報告設定情報エレメント（１２７）によって指示される報告設定が、前記無線デバイス（１１１）における測定対象に測定ＩＤを介してリンクされ、前記方法がさらに、
前記無線デバイス（１１１）における前記測定対象の更新を受信することと、
前記更新の受信に応答して、前記測定ＩＤの測定報告エントリを前記無線デバイス（１１１）における測定報告エントリのリストから取り除くこと及び前記測定ＩＤのタイマーを停止することと
を含む、請求項１から４のいずれか一項に記載の方法。
【請求項６】
前記指示（１２８）が、前記無線デバイス（１１１）がＣＧＩを報告すべきセルの物理セルＩＤ（ＰＣＩ）を指示することによって、前記無線デバイス（１１１）がどのセルにＣＧＩを報告すべきかを指示する、請求項１から５のいずれか一項に記載の方法。
【請求項７】
ネットワークノード（１０１）によって実行される方法であって、
前記無線デバイス（１１１）がどのセルについてＣＧＩを報告すべきかの指示（１２８）を、測定設定の測定報告設定情報エレメント（１２７）又は測定設定の測定ＩＤ情報エレメント（１２９）において、前記ネットワークノード（１０１）によって、前記無線デバイス（１１１）に、送信すること（８０３ｃ）と、
前記送信された指示（１２８）によって指示されたセルのＣＧＩの報告を、前記無線デバイス（１１１）から、受信すること（８０５ｃ）と
を含む、方法。
【請求項８】
前記指示（１２８）が、前記測定報告設定情報エレメント（１２７）において送信される、請求項７に記載の方法。
【請求項９】
前記測定報告設定情報エレメント（１２７）が、前記無線デバイス（１１１）が前記無線デバイス（１１１）における報告設定のリストに追加すべき報告設定を指示し、前記報告設定が、前記指示（１２８）を含む、請求項８に記載の方法。
【請求項１０】
前記指示（１２８）が、前記無線デバイス（１１１）がＣＧＩを報告すべきセルの物理セルＩＤ（ＰＣＩ）を指示することによって、前記無線デバイス（１１１）がどのセルにＣＧＩを報告すべきかを指示する、請求項７から９のいずれか一項に記載の方法。
【請求項１１】
無線デバイス（１１１）であって、
前記無線デバイス（１１１）がどのセルについてセルグローバル識別子（ＣＧＩ）を報告すべきかの指示（１２８）を、測定設定の測定報告設定情報エレメント（１２７）又は測定設定の測定ＩＤ情報エレメント（１２９）において、ネットワークノード（１０１）から、受信することと、
前記受信された指示（１２８）によって指示されたセルのＣＧＩを報告することと
を行うように設定された、無線デバイス（１１１）。
【請求項１２】
請求項２から６のいずれか一項に記載の方法を実行するように設定された、請求項１１に記載の無線デバイス（１１１）。
【請求項１３】
前記無線デバイス（１１１）がどのセルについてＣＧＩを報告すべきかの指示（１２８）を、測定設定の測定報告設定情報エレメント（１２７）又は測定設定の測定ＩＤ情報エレメント（１２９）において、前記無線デバイス（１１１）に、送信することと、
前記送信された指示（１２８）によって指示されたセルのＣＧＩの報告を、前記無線デバイス（１１１）から、受信することと
を行うように設定された、ネットワークノード（１０１）。
【請求項１４】
請求項８から１０のいずれか一項に記載の方法を実行するように設定された、請求項１３に記載のネットワークノード。
【国際調査報告】
2021503752.tif 000029
2021503752.tif 000030
2021503752.tif 000031
2021503752.tif 000032